(57)【特許請求の範囲】
【請求項１】
第１の帯域に関する第１の送信（ＴＸ）フィルタを備える第１のアンテナインターフェース回路と、ここで、前記第１のＴＸフィルタは、第１のアンテナを介した送信の前に第１の無線周波数（ＲＦ）信号をフィルタリングするように構成され、
第２の帯域に関する第２のＴＸフィルタを備える第２のアンテナインターフェース回路と、ここで、前記第２のＴＸフィルタは、第２のアンテナを介した送信の前に第２のＲＦ信号をフィルタリングするように構成され、前記第１および第２のＴＸフィルタは、前記第１および第２の帯域上でワイヤレスネットワークに同時に送信される前記第１および第２のＲＦ信号をフィルタリングするように構成され、前記第１のアンテナインターフェース回路および前記第２のアンテナインターフェース回路のうちの少なくとも１つは、前記第１の帯域に関する受信（ＲＸ）フィルタと、前記第２の帯域に関する他のＲＸフィルタとを含み、前記ＲＸフィルタおよび前記他のＲＸフィルタは共通のアンテナで受信する、
を備える、装置。
【請求項２】
前記第１および第２のＲＦ信号は、キャリアアグリゲーションのための第１および第２のキャリア上でそれぞれ同時に送信される、請求項１に記載の装置。
【請求項３】
前記第１のアンテナインターフェース回路は、前記第１の帯域に関する前記第１のＴＸフィルタと、前記第１の帯域に関する第１の受信（ＲＸ）フィルタと、前記第２の帯域に関する第２のＲＸフィルタとを含む第１のトリプレクサを備える、請求項１に記載の装置。
【請求項４】
前記第２のアンテナインターフェース回路は、前記第２の帯域に関する前記第２のＴＸフィルタと、前記第２の帯域に関する第３のＲＸフィルタと、前記第１の帯域に関する第４のＲＸフィルタとを含む第２のトリプレクサ備える、請求項３に記載の装置。
【請求項５】
前記第１のアンテナインターフェース回路は、前記第１の帯域に関する、前記第１のＴＸフィルタおよび受信（ＲＸ）フィルタを含むデュプレクサを備える、請求項１に記載の装置。
【請求項６】
前記第２のアンテナインターフェース回路は、前記第２の帯域に関する、前記第２のＴＸフィルタおよび受信（ＲＸ）フィルタを含むデュプレクサを備える、請求項１に記載の装置。
【請求項７】
前記第１のアンテナインターフェース回路は、前記第１の帯域に関する前記第１のＴＸフィルタと、前記第１の帯域に関する第１の受信（ＲＸ）フィルタと、第３の帯域に関する第３のＴＸフィルタと、前記第３の帯域に関する第２のＲＸフィルタとを含むクアドプレクサを備える、請求項１に記載の装置。
【請求項８】
前記第１のアンテナインターフェース回路は、前記第１のＴＸフィルタに結合され、前記第１のＲＦ信号をフィルタリングして前記第１のＲＦ信号の少なくとも１つの高調波を減衰させるように構成された、ローパスフィルタを備える、請求項１に記載の装置。
【請求項９】
前記第１のアンテナインターフェース回路は、第３の帯域に関する第３のＴＸフィルタと、前記第３の帯域に関する第３のＲＸフィルタとを含むデュプレクサをさらに備える、請求項３に記載の装置。
【請求項１０】
前記第１のアンテナインターフェース回路は、
前記第１の帯域に関する前記第１のＴＸフィルタと、前記第１の帯域に関する第１の受信（ＲＸ）フィルタと、前記第２の帯域に関する第２のＲＸフィルタとを含む第１のトリプレクサと、
第３の帯域に関する第３のＴＸフィルタと、前記第３の帯域に関する第３のＲＸフィルタと、第４の帯域に関する第４のＲＸフィルタとを含む第２のトリプレクサと
を備える、請求項１に記載の装置。
【請求項１１】
前記第２のアンテナインターフェース回路は、
前記第２の帯域に関する前記第２のＴＸフィルタと、前記第２の帯域に関する第５のＲＸフィルタと、前記第１の帯域に関する第６のＲＸフィルタとを含む第３のトリプレクサと、
前記第４の帯域に関する第４のＴＸフィルタと、前記第４の帯域に関する第７のＲＸフィルタと、前記第３の帯域に関する第８のＲＸフィルタとを含む第４のトリプレクサと
を備える、請求項１０に記載の装置。
【請求項１２】
前記第１のアンテナインターフェース回路は、前記第１および第２のトリプレクサと前記第１のアンテナとの間に結合されたダイプレクサをさらに備える、請求項１０に記載の装置。
【請求項１３】
前記第１のアンテナインターフェース回路は、前記ダイプレクサと前記第１のアンテナとの間に結合された少なくとも１つのスイッチをさらに備える、請求項１２に記載の装置。
【請求項１４】
前記第１のＴＸフィルタと前記第１のアンテナとの間に結合された少なくとも１つのスイッチと、ここで、前記第１のＴＸフィルタは第１の無線技術のために使用され、
前記少なくとも１つのスイッチに結合された第２の無線技術のための少なくとも１つのフィルタと
をさらに備える、請求項１に記載の装置。
【請求項１５】
前記第１のアンテナインターフェース回路は、
前記第１の帯域に関する、前記第１のＴＸフィルタおよび第１の受信（ＲＸ）フィルタを含む第１のマルチプレクサと、
第３の帯域に関する、第３のＴＸフィルタおよび第２のＲＸフィルタを含む第２のマルチプレクサと、
第４の帯域に関する、第４のＴＸフィルタおよび第３のＲＸフィルタを含む第３のマルチプレクサと
を備える、請求項１に記載の装置。
【請求項１６】
前記第１のアンテナインターフェース回路は、
前記第１および第２のマルチプレクサに結合された少なくとも１つのスイッチと、
前記少なくとも１つのスイッチと、前記第３のマルチプレクサと、前記第１のアンテナとに結合されたダイプレクサと
をさらに備える、請求項１５に記載の装置。
【請求項１７】
第１のアンテナに動作可能に結合され、第１の帯域に関する第１の送信（ＴＸ）フィルタと、前記第１の帯域に関する第１の受信（ＲＸ）フィルタと、第２の帯域に関する第２のＲＸフィルタとを備えるトリプレクサと、ここで、前記第１のＲＸフィルタおよび前記第２のＲＸフィルタは前記第１のアンテナで受信する、
第２のアンテナに動作可能に結合され、前記第２の帯域に関する第２のＴＸフィルタと、前記第１の帯域に関する第３のＲＸフィルタとを備えるマルチプレクサと
を備える、装置。
【請求項１８】
前記マルチプレクサは第２のトリプレクサを備え、前記第２の帯域に関する前記第２のＴＸフィルタと、前記第１の帯域に関する前記第３のＲＸフィルタと、前記第２の帯域に関する第４のＲＸフィルタとを含む、請求項１７に記載の装置。
【請求項１９】
前記トリプレクサおよび前記マルチプレクサは、キャリアアグリゲーションのための前記第１および第２の帯域上で同時に送信されたダウンリンクデータ伝送を受信するように構成される、請求項１７に記載の装置。
【請求項２０】
前記トリプレクサおよび前記マルチプレクサは、キャリアアグリゲーションのための、前記第１のアンテナを介した前記第１の帯域上の第１のアップリンクデータ伝送と、前記第２のアンテナを介した前記第２の帯域上の第２のアップリンクデータ伝送とを同時に送信するように構成される、請求項１７に記載の装置。
【請求項２１】
前記トリプレクサは、キャリアアグリゲーションを用いずに、前記第１のアンテナを介して前記第１の帯域上でアップリンクデータ伝送を送信するように構成される、請求項１７に記載の装置。
【請求項２２】
第１のアンテナインターフェース回路において、第１のアンテナを介した送信の前に、第１の帯域に関する第１の送信（ＴＸ）フィルタを用いて第１の無線周波数（ＲＦ）信号をフィルタリングすることと、
第２のアンテナインターフェース回路において、第２のアンテナを介した送信の前に、第２の帯域に関する第２のＴＸフィルタを用いて第２のＲＦ信号をフィルタリングすることと、ここで、前記第１および第２のＲＦ信号は、キャリアアグリゲーションのための前記第１および第２の帯域上で同時に送信され、前記第１のアンテナインターフェース回路および前記第２のアンテナインターフェース回路のうちの少なくとも１つは、前記第１の帯域に関する受信（ＲＸ）フィルタと、前記第２の帯域に関する他のＲＸフィルタとを含み、前記ＲＸフィルタおよび前記他のＲＸフィルタは共通のアンテナで受信する、
を備える、方法。
【請求項２３】
前記第１のアンテナを介して受信された第３のＲＦ信号を、前記第１の帯域に関する第１の受信（ＲＸ）フィルタを用いてフィルタリングすることと、
前記第２のアンテナを介して受信された第４のＲＦ信号を、前記第２の帯域に関する第２のＲＸフィルタを用いてフィルタリングすることと
をさらに備える、請求項２２に記載の方法。
【請求項２４】
前記第１のアンテナを介して受信された第５のＲＦ信号を、前記第２の帯域に関する第３のＲＸフィルタを用いてフィルタリングすることと、
前記第２のアンテナを介して受信された第６のＲＦ信号を、前記第１の帯域に関する第４のＲＸフィルタを用いてフィルタリングすることと
をさらに備える、請求項２３に記載の方法。
【請求項２５】
第１のアンテナインターフェース回路において、第１のアンテナを介した送信の前に、第１の帯域に関する第１の無線周波数（ＲＦ）信号をフィルタリングするための手段と、
第２のアンテナインターフェース回路において、第２のアンテナを介した送信の前に、第２の帯域に関する第２のＲＦ信号をフィルタリングするための手段と、ここで、前記第１および第２のＲＦ信号は、キャリアアグリゲーションのための前記第１および第２の帯域上で同時に送信され、前記第１のアンテナインターフェース回路および前記第２のアンテナインターフェース回路のうちの少なくとも１つは、前記第１の帯域に関する受信（ＲＸ）フィルタと、前記第２の帯域に関する他のＲＸフィルタとを含み、前記ＲＸフィルタおよび前記他のＲＸフィルタは共通のアンテナで受信する、
を備える、装置。
【請求項２６】
前記第１のアンテナを介して受信された、前記第１の帯域に関する第３のＲＦ信号をフィルタリングするための手段と、
前記第２のアンテナを介して受信された、前記第２の帯域に関する第４のＲＦ信号をフィルタリングするための手段と
をさらに備える、請求項２５に記載の装置。
【請求項２７】
前記第１のアンテナを介して受信された、前記第２の帯域に関する第５のＲＦ信号をフィルタリングするための手段と、
前記第２のアンテナを介して受信された、前記第１の帯域に関する第６のＲＦ信号をフィルタリングするための手段と
をさらに備える、請求項２６に記載の装置。
【発明の詳細な説明】
【優先権の主張】
【０００１】
[0001]  本特許出願は、本願の譲受人に譲渡され、参照によってここに明確に組み込まれる、２０１２年６月２９日出願の「ANTENNA INTERFACE CIRCUITS FOR CARRIER AGGREGATION ON MULTIPLE ANTENNAS」と題する、米国仮特許出願番号第６１／６６６，０８８号の優先権を主張する。
【技術分野】
【０００２】
[0002]  本開示は、概して、エレクトロニクスに関し、より具体的には、ワイヤレスデバイスのためのアンテナインターフェース回路およびフィルタに関する。
【背景技術】
【０００３】
[0003]  ワイヤレス通信システムにおけるワイヤレスデバイス（例えば、セルラーフォンまたはスマートフォン）は、双方向通信のためにデータを送信および受信することができる。ワイヤレスデバイスは、データ送信のための送信機と、データ受信のための受信機とを含みうる。データ送信については、送信機は、データで無線周波数（ＲＦ）キャリア信号を変調して、変調ＲＦ信号を取得し、その変調ＲＦ信号を増幅して、適切な出力電力レベルを有する出力ＲＦ信号を取得し、その出力ＲＦ信号をアンテナを介して基地局に送信しうる。データ受信については、受信機は、受信ＲＦ信号をアンテナを介して取得し、受信ＲＦ信号を増幅および処理して、基地局によって送られたデータを復元しうる。
【０００４】
[0004]  ワイヤレスデバイスは、マルチプルなキャリア上の同時動作である、キャリアアグリゲーションをサポートしうる。キャリアは、通信に使用される周波数の範囲を指し、ある特定の特性に関連付けられうる。例えば、キャリアは、そのキャリア上の動作を説明するシステム情報に関連付けられうる。キャリアは、また、コンポーネントキャリア（ＣＣ）、周波数チャネル、セル、等と呼ばれうる。ワイヤレスデバイスによってキャリアアグリゲーションを効率的にサポートすることが望ましい。
【図面の簡単な説明】
【０００５】
【図１】[0005]  ワイヤレスシステムと通信するワイヤレスデバイスを示す図である。
【図２Ａ】[0006]  キャリアアグリゲーション（ＣＡ）の一例を示す図である。
【図２Ｂ】キャリアアグリゲーション（ＣＡ）の一例を示す図である。
【図２Ｃ】キャリアアグリゲーション（ＣＡ）の一例を示す図である。
【図２Ｄ】キャリアアグリゲーション（ＣＡ）の一例を示す図である。
【図３】[0007]  図１のワイヤレスデバイスのブロック図である。
【図４Ａ】[0008]  フル多重（full multiplexing）を用いて２つのアンテナを介した２つの帯域上のキャリアアグリゲーションをサポートする、ＲＦフロントエンドユニットの例示的な設計の１つを示す図である。
【図４Ｂ】フル多重を用いて２つのアンテナを介した２つの帯域上のキャリアアグリゲーションをサポートする、ＲＦフロントエンドユニットの例示的な設計の１つを示す図である。
【図５Ａ】[0009]  部分多重（partial multiplexing）を用いて２つのアンテナを介した２つの帯域上のキャリアアグリゲーションをサポートする、ＲＦフロントエンドユニットの例示的な設計の１つを示す図である。
【図５Ｂ】部分多重を用いて２つのアンテナを介した２つの帯域上のキャリアアグリゲーションをサポートする、ＲＦフロントエンドユニットの例示的な設計の１つを示す図である。
【図５Ｃ】部分多重を用いて２つのアンテナを介した２つの帯域上のキャリアアグリゲーションをサポートする、ＲＦフロントエンドユニットの例示的な設計の１つを示す図である。
【図５Ｄ】部分多重を用いて２つのアンテナを介した２つの帯域上のキャリアアグリゲーションをサポートする、ＲＦフロントエンドユニットの例示的な設計の１つを示す図である。
【図５Ｅ】部分多重を用いて２つのアンテナを介した２つの帯域上のキャリアアグリゲーションをサポートする、ＲＦフロントエンドユニットの例示的な設計の１つを示す図である。
【図５Ｆ】部分多重を用いて２つのアンテナを介した２つの帯域上のキャリアアグリゲーションをサポートする、ＲＦフロントエンドユニットの例示的な設計の１つを示す図である。
【図６】[0010]  多入力多出力（ＭＩＭＯ）通信および２つのアンテナを介した１つの帯域上のキャリアアグリゲーションをサポートするＲＦフロントエンドユニットの例示的な設計を示す図である。
【図７Ａ】[0011]  部分多重を用いて２つのアンテナを介した３つの帯域上のキャリアアグリゲーションをサポートするＲＦフロントエンドユニットの例示的な設計を示す図である。
【図７Ｂ】[0012]  部分多重を用いて２つのアンテナを介した４つの帯域上のキャリアアグリゲーションをサポートするＲＦフロントエンドユニットの例示的な設計を示す図である。
【図８Ａ】[0013]  部分多重を用いて２つのアンテナを介した４つの帯域上のキャリアアグリゲーションをサポートするＲＦフロントエンドユニットの例示的な設計を示す図である。
【図８Ｂ】部分多重を用いて２つのアンテナを介した４つの帯域上のキャリアアグリゲーションをサポートするＲＦフロントエンドユニットの例示的な設計を示す図である。
【図９Ａ】[0014]  部分多重を用いて２つのアンテナを介した６つの帯域上のキャリアアグリゲーションをサポートするＲＦフロントエンドユニットの例示的な設計を示す図である。
【図９Ｂ】部分多重を用いて２つのアンテナを介した６つの帯域上のキャリアアグリゲーションをサポートするＲＦフロントエンドユニットの例示的な設計を示す図である。
【図１０】[0015]  ６つの帯域上での通信をサポートするＲＦフロントエンドユニットの例示的な設計を示す図である。
【図１１】[0016]  部分多重を用いてキャリアアグリゲーションをサポートするためのプロセスを示す図である。
【詳細な説明】
【０００６】
[0017]  以下に記載される詳細な説明は、本開示の例示的な設計の説明として意図されており、本開示が実現されうる唯一の設計を表すことを意図したものではない。ここでは、「例示的（exemplary）」という用語は、「例、実例、または説明としての役割をする」という意味で使用される。「例示的」なものとしてここに説明されるいずれの設計も、必ずしも他の設計に対して好ましいまたは有利なものとして解釈されるべきではない。詳細な説明は、本開示の例示的な設計の完全な理解を提供することを目的とした特定の詳細を含む。ここに説明される例示的な設計が、これらの特定の詳細なしに実現されうることは、当業者にとって明らかであろう。いくつかの事例では、周知の構造およびデバイスが、ここに提示される例示的な設計の新規性を曖昧にすることを避けるために、ブロック図の形態で示される。
【０００７】
[0018]  マルチプルなアンテナを介したマルチプルな帯域上のキャリアアグリゲーションを効率的にサポートすることができる、アンテナインターフェース回路およびフィルタがここに開示される。これらのアンテナインターフェース回路およびフィルタは、様々な利点を提供することができ、ワイヤレス通信デバイスのような様々なタイプの電子デバイスに使用されうる。
【０００８】
[0019]  図１は、ワイヤレス通信システム１２０と通信することが可能なワイヤレスデバイス１１０を示す。ワイヤレスシステム１２０は、ロングタームエボリューション（ＬＴＡ）システム、符号分割多元接続（ＣＤＭＡ）システム、グローバルシステム・フォー・モバイル・コミュニケーションズ（ＧＳＭ（登録商標））システム、ワイヤレスローカルエリアネットワーク（ＷＬＡＮ）システム、または他の何らかのワイヤレスシステムでありうる。ＣＤＭＡシステムは、広帯域ＣＤＭＡ（ＷＣＤＭＡ（登録商標））、ＣＤＭＡ１Ｘ、時分割同期ＣＤＭＡ（ＴＤ−ＳＣＤＭＡ）、または他の何らかのバージョンのＣＤＭＡをインプリメントしうる。簡単のために、図１は、２つの基地局１３０および１３２と、１つのシステムコントローラ１４０とを含む、ワイヤレスシステム１２０を示す。一般に、ワイヤレスシステムは、任意の数の基地局と、任意のセットのネットワークエンティティとを含みうる。
【０００９】
[0020]  ワイヤレスデバイス１１０は、また、ユーザ機器（ＵＥ）、移動局、端末、アクセス端末、加入者ユニット、局、等とも呼ばれうる。ワイヤレスデバイス１１０は、セルラーフォン、スマートフォン、タブレット、ワイヤレスモデム、携帯情報端末（ＰＤＡ）、ハンドヘルドデバイス、ラップトップコンピュータ、スマートブック、ネットブック、コードレスフォン、ワイヤレスローカルループ（ＷＬＬ）局、Ｂｌｕｅｔｏｏｔｈ（登録商標）デバイス、等でありうる。ワイヤレスデバイス１１０は、ワイヤレスシステム１２０と通信することが可能でありうる。ワイヤレスデバイス１１０は、また、放送局（例えば、放送局１３４）からの信号、１つまたは複数のグローバルナビゲーション衛星システム（ＧＮＳＳ）内の衛星（例えば、衛星１５０）からの信号、等を受信することが可能でありうる。ワイヤレスデバイス１１０は、ＬＴＥ、ＷＣＤＭＡ、ＣＤＭＡ１Ｘ、ＴＤ−ＳＣＤＭＡ、ＧＳＭ、８０２．１１、等のようなワイヤレス通信のための１つまたは複数の無線技術をサポートしうる。
【００１０】
[0021]  ワイヤレスデバイス１１０は、マルチプルなキャリア上の動作である、キャリアアグリゲーションをサポートしうる。キャリアアグリゲーションは、また、マルチキャリア動作と呼ばれうる。ワイヤレスデバイス１１０は、６９８〜９６０メガヘルツ（ＭＨｚ）の低帯域、１４７５〜２１７０ＭＨｚの中帯域、および／または２３００〜２６９０ＭＨｚと、３４００〜３８００ＭＨｚの高帯域において、動作することが可能である。低帯域、中帯域、および高帯域は、各帯域グループがいくつかの周波数帯域（または単に「帯域（bands）」）を含む、３つのグループの帯域（または、帯域グループ）を指す。各帯域は、最大２００ＭＨｚまでカバーし、１つまたは複数のキャリアを含みうる。各キャリアは、ＬＴＥでは最大２０ＭＨｚまでカバーしうる。ＬＴＥリリース１１は、３５帯域をサポートし、それらは、ＬＴＥ／ＵＭＴＳ帯域と呼ばれ、３ＧＰＰ  ＴＳ  ３６．１０１に列挙されている。ワイヤレスデバイス１１０は、ＬＴＥリリース１１では１つまたは２つの帯域中の最大５つのキャリアで構成されうる。
【００１１】
[0022]  一般に、キャリアアグリゲーション（ＣＡ）は、帯域内ＣＡ（intra-band CA）と帯域間ＣＡ（inter-band CA）の２つの種類に分類されうる。帯域内ＣＡは、同じ帯域内のマルチプルなキャリア上の動作を指す。帯域間ＣＡは、異なる帯域にあるマルチプルなキャリア上の動作を指す。
【００１２】
[0023]  図２Ａは、連続した帯域内ＣＡの一例を示す。図２Ａに示される例では、ワイヤレスデバイス１１０は、低帯域内の同じ帯域の中の４つの連続したキャリアで構成される。ワイヤレスデバイス１１０は、同じ帯域内のマルチプルな連続キャリア上の伝送を送信および／または受信しうる。
【００１３】
[0024]  図２Ｂは、不連続な帯域内ＣＡの一例を示す。図２Ｂに示される例では、ワイヤレスデバイス１１０は、低帯域内の同じ帯域の中の４つの不連続なキャリアで構成される。キャリアは、５ＭＨｚ、１０ＭＨｚ、または他の何らかの量だけ隔てられうる。ワイヤレスデバイス１１０は、同じ帯域内のマルチプルな不連続キャリア上の伝送を送信および／または受信しうる。
【００１４】
[0025]  図２Ｃは、同じ帯域グループにおける帯域間ＣＡの一例を示す。図２Ｃに示される例では、ワイヤレスデバイス１１０は、低帯域内の２つの帯域の中の４つのキャリアで構成される。ワイヤレスデバイス１１０は、同じ帯域グループにある異なる帯域の中のマルチプルなキャリア上の伝送を送信および／または受信しうる。
【００１５】
[0026]  図２Ｄは、異なる帯域グループにおける帯域間ＣＡの一例を示す。図２Ｄに示される例では、ワイヤレスデバイス１１０は、低帯域にある１つの帯域の中の２つのキャリアと、中帯域にある別の帯域の中の２つの追加のキャリアとを含む、異なる帯域グループにある２つの帯域の中の４つのキャリアで構成される。ワイヤレスデバイス１１０は、異なる帯域グループにある異なる帯域の中のマルチプルなキャリア上の伝送を送信および／または受信しうる。
【００１６】
[0027]  図２Ａ〜２Ｄは、キャリアアグリゲーションの４つの例を示す。キャリアアグリゲーションは、また、帯域および帯域グループの他の組み合わせについてもサポートされうる。例えば、キャリアアグリゲーションは、低帯域と高帯域、中帯域と高帯域、高帯域と高帯域、等についてサポートされうる。
【００１７】
[0028]  帯域間ＣＡは、以下を含みうる、４つのクラス／カテゴリにグループ分けされうる。  
クラスＡ１−帯域間に高調波関係がない、低帯域と高帯域の組み合わせ
クラスＡ２−帯域間に高調波関係がある、低帯域と高帯域の組み合わせ
クラスＡ３−相互変調（ＩＭ）問題（下位ＩＭ）がない、低帯域と低帯域の組み合わせ、または高帯域と高帯域の組み合わせ
クラスＡ４−相互変調問題（下位ＩＭ）がある、低帯域と低帯域の組み合わせ、または高帯域と高帯域の組み合わせ
[0029]  ワイヤレスデバイス１１０は、上で挙げられた帯域間ＣＡの４つのすべてのクラス／カテゴリのための要件を満たすように設計されうる。
【００１８】
[0030]  図３は、図１のワイヤレスデバイス１１０の例示的な設計のブロック図を示す。この例示的な設計では、ワイヤレスデバイス１１０は、データプロセッサ／コントローラ３１０と、１次アンテナ３９０に結合されたトランシーバ３２０と、２次アンテナ３９２に結合されたトランシーバ３２２とを含む。トランシーバ３２０は、Ｋ個の送信機３３０ｐａ〜３３０ｐｋと、Ｌ個の受信機３４０ｐａ〜３４０ｐｌと、アンテナインターフェース回路３５０とを含み、マルチプルな帯域、キャリアアグリゲーション、マルチプルな無線技術、等をサポートする。ＫおよびＬは、それぞれ、１またはそれ以上の任意の正数値でありうる。トランシーバ３２２は、Ｍ個の送信機３３０ｓａ〜３３０ｓｍと、Ｎ個の受信機３４０ｓａ〜３４０ｓｎと、アンテナインターフェース回路３５６とを含み、マルチプルな帯域、キャリアアグリゲーション、マルチプルな無線技術、受信ダイバーシティ、多入力多出力（ＭＩＭＯ）伝送、等をサポートする。ＭおよびＮは、それぞれ、１またはそれ以上の任意の正数値でありうる。
【００１９】
[0031]  図３に示される例示的な設計では、各送信機３３０が、送信回路３３２および電力増幅器（ＰＡ）３３４を含む。データ送信では、データプロセッサ３１０が、送信されるべきデータを処理し（例えば、符号化および変調し）、アナログ出力信号を、選択された送信機に提供する。以下の説明は、送信機３３０ｐａが、選択された送信機であると仮定する。送信機３３０ｐａ内では、送信回路３３２ｐａが、アナログ出力信号を、増幅し、フィルタリングし、ベースバンドからＲＦにアップコンバートして、変調ＲＦ信号を提供する。送信回路３３２ｐａは、増幅器、フィルタ、ミキサ、整合回路、発振器、局部発振器（ＬＯ）生成器、フェーズロックループ（ＰＬＬ）、等を含みうる。ＰＡ３３４ｐａは、変調ＲＦ信号を受信して増幅し、適正な出力電力レベルを有する出力ＲＦ信号を提供する。出力ＲＦ信号は、アンテナインターフェース回路３５０を通じてルーティングされ、アンテナ３９０を介して送信される。アンテナインターフェース回路３５０は、１つまたは複数のフィルタ、デュプレクサ、ダイプレクサ、トリプレクサ、クアドプレクサ、スイッチ、整合回路、方向性結合器、等を含みうる。トランシーバ３２０および３２２内の残りの各送信機３３０は、送信機３３０ｐａと同様の方法で動作しうる。
【００２０】
[0032]  図３に示される例示的な設計では、各受信機３４０が、低雑音増幅器（ＬＮＡ）３４２および受信回路３４４を含む。データ受信では、アンテナ３９０が、基地局および／または他の送信機局から信号を受信して、受信ＲＦ信号を提供し、それは、アンテナインターフェース回路３５０を通じてルーティングされ、選択された受信機に提供される。以下の説明は、受信機３４０ｐａが、選択された受信機であると仮定する。受信機３４０ｐａ内では、ＬＮＡ３４２ｐａは、受信ＲＦ信号を増幅し、増幅されたＲＦ信号を提供する。受信回路３４４ｐａは、増幅されたＲＦ信号をＲＦからベースバンドにダウンコンバートし、ダウンコンバートされた信号を増幅してフィルタリングし、アナログ入力信号をデータプロセッサ３１０に提供する。受信回路３４４ｐａは、ミキサ、フィルタ、増幅器、整合回路、発振器、ＬＯ生成器、ＰＬＬ、等を含みうる。トランシーバ３２０および３２２内の残りの各受信機３４０は、受信機３４０ｐａと同様の方法で動作しうる。
【００２１】
[0033]  図３は、送信機３３０および受信機３４０の例示的な設計を示す。送信機および受信機は、また、フィルタ、整合回路、等のような、図３に示されていない他の回路を含みうる。トランシーバ３２０および３２２のすべてまたは一部分が、１つまたは複数のアナログ集積回路（ＩＣ）、ＲＦ  ＩＣ（ＲＦＩＣ）、混合信号ＩＣ、等にインプリメントされうる。例えば、送信回路３３２、ＬＮＡ３４２、および受信回路３４４は、ＲＦＩＣ等でありうる、１つのモジュール上にインプリメントされうる。アンテナインターフェース回路３５０および３５６とＰＡ３３４は、ハイブリッドモジュール等でありうる、別のモジュール上にインプリメントされうる。トランシーバ３２０および３２２内の回路は、また、他の方法でインプリメントされうる。
【００２２】
[0034]  データプロセッサ／コントローラ３１０は、ワイヤレスデバイス１１０のための様々な機能を実行しうる。例えば、データプロセッサ３１０は、送信機３３０を介して送信されているデータ、および受信機３４０を介して受信されているデータのための処理を実行しうる。コントローラ３１０は、送信回路３３２、ＰＡ３３４、ＬＮＡ３４２、受信回路３４４、アンテナインターフェース回路３５０および３５６、またはこれらの組み合わせの動作を制御しうる。メモリ３１２は、データプロセッサ／コントローラ３１０のためのプログラムコードおよびデータを記憶しうる。データプロセッサ／コントローラ３１０は、１つまたは複数の特定用途向け集積回路（ＡＳＩＣ）および／または他のＩＣ上にインプリメントされうる。
【００２３】
[0035]  アンテナインターフェース回路３５０および３５６は、キャリアアグリゲーションをサポートするために、様々な方法でインプリメントされうる。アンテナインターフェース回路３５０および３５６のいくつかの例示的な設計が以下に説明される。一般に、アンテナインターフェース回路は、任意の数のデュプレクサ、ダイプレクサ、トリプレクサ、クアドプレクサ、スイッチ、等を含みうる。デュプレクサは、通常、データ送信のための送信（ＴＸ）フィルタと、データ受信のための受信（ＲＸ）フィルタとを含む。ＴＸフィルタおよびＲＸフィルタは、通常、特定の帯域用に設計されている。ダイプレクサは、通常、ローパスフィルタおよびハイパスフィルタを含み、それらは２つの帯域グループにおける信号を分離するために使用されうる。
【００２４】
[0036]  図４Ａは、２つの帯域ＡおよびＢ上のキャリアアグリゲーションをサポートするアンテナインターフェース回路４５０および４５６を備えるＲＦフロントエンドユニット４１０の例示的な設計を示す。アンテナインターフェース回路４５０および４５６は、図３のアンテナインターフェース回路３５０および３５６にそれぞれ使用されうる。アンテナインターフェース回路４５０は、１次アンテナ４９０を介した、帯域ＡおよびＢ上のアップリンクでのデータ送信と、帯域ＡおよびＢ上のダウンリンクでのデータ受信とをサポートする。アンテナインターフェース回路４５６は、受信ダイバーシティのための２次アンテナ４９２を介した、帯域ＡおよびＢ上のダウンリンクでのデータ受信をサポートする。
【００２５】
[0037]  アンテナインターフェース回路４５０は、帯域Ａのためのデュプレクサ４６０ａと、帯域Ｂのためのデュプレクサ４６０ｂと、ダイプレクサ４６６とを含む。デュプレクサ４６０ａは、ＰＡ４３０ａに結合された、帯域ＡのためのＴＸフィルタ４６２ａと、ＬＮＡ４４０ａに結合された、帯域ＡのためのＲＸフィルタ４６４ａとを含む。ＴＸフィルタ４６２ａの出力およびＲＸフィルタ４６４ａの入力は、デュプレクサ４６０ａの出力に結合される。デュプレクサ４６０ｂは、ＰＡ４３０ｂに結合された、帯域ＢのためのＴＸフィルタ４６２ｂと、ＬＮＡ４４０ｂに結合された、帯域ＢのためのＲＸフィルタ４６４ｂとを含む。ＴＸフィルタ４６２ｂの出力およびＲＸフィルタ４６４ｂの入力はデュプレクサ４６０ｂの出力に結合される。ダイプレクサ４６６は、デュプレクサ４６０ａの出力に結合された第１の入力と、デュプレクサ４６０ｂの出力に結合された第２の入力と、アンテナ４９０に結合された出力とを含む。ダイプレクサ４６６は、ローパスフィルタおよびハイパスフィルタを含み、一方のフィルタが、ダイプレクサ４６６の第１の入力と出力との間に結合され、他方のフィルタが、ダイプレクサ４６６の第２の入力と出力との間に結合されている。例えば、帯域Ａは低帯域にあり、帯域Ｂは高帯域にありうる。デュプレクサ４６０ａは、次いで、ダイプレクサ４６６内のローパスフィルタに結合され、デュプレクサ４６０ｂは、ダイプレクサ４６６内のハイパスフィルタに結合されうる。
【００２６】
[0038]  アンテナインターフェース回路４５６は、帯域ＡのためのＲＸフィルタ４７４ａと、帯域ＢのためのＲＸフィルタ４７４ｂと、ダイプレクサ４７６とを含む。ＲＸフィルタ４７４ａは、ＬＮＡ４４０ｃとダイプレクサ４７６との間に結合される。ＲＸフィルタ４７４ｂは、ＬＮＡ４４０ｄとダイプレクサ４７６との間に結合される。ダイプレクサ４７６は、その出力が、２次／ダイバーシティアンテナである、アンテナ４９２に結合されている。
【００２７】
[0039]  図４Ｂは、２つの帯域ＡおよびＢ上のキャリアアグリゲーションをサポートするアンテナインターフェース回路４５２および４５６を備えるＲＦフロントエンドユニット４１２の例示的な設計を示す。アンテナインターフェース回路４５２は、図３のアンテナインターフェース回路３５０に使用されうる。アンテナインターフェース回路４５２は、帯域ＡおよびＢのためのクアドプレクサ４６１を含む。クアドプレクサ４６１は、帯域ＡのためのＴＸフィルタ４６２ａおよびＲＸフィルタ４６４ａと、帯域ＢのためのＴＸフィルタ４６２ｂおよびＲＸフィルタ４６４ｂとを含む。ＴＸフィルタ４６２ａおよび４６２ｂの出力と、ＲＸフィルタ４６４ａおよび４６４ｂの入力とは、アンテナ４９０に結合された、クアドプレクサ４６１の出力に結合されている。
【００２８】
[0040]  図４Ａの例示的な設計は、（ｉ）１次アンテナ４９０について２つのデュプレクサ４６０ａおよび４６０ｂと１つのダイプレクサ４６６、および（ｉｉ）２次／ダイバーシティアンテナ４９２について２つのＲＸフィルタ４７４ａおよび４７４ｂと１つのダイプレクサ４７６を使用する。クラスＡ２およびクラスＡ４の帯域間ＣＡでは、高調波除去（harmonic rejection）フィルタが、それぞれのデュプレクサ４６０とダイプレクサ４６６との間に結合されうる。図４Ｂの例示的な設計は、（ｉ）１次アンテナ４９０について２つのデュプレクサ４６０ａおよび４６０ｂを共に組み合わせたクアドプレクサ４６１、および（ｉｉ）２次／ダイバーシティアンテナ４９２について２つのＲＸフィルタ４７４ａおよび４７４ｂと１つのダイプレクサ４７６を使用する。図４Ａおよび４Ｂの例示的な設計は、より大きな回路サイズと追加のコンポーネントを有し、それらは、ワイヤレスデバイスのコストを増加させうる。図４Ａおよび４Ｂの例示的な設計は、また、追加のコンポーネントおよび整合問題に起因する、より高い挿入損失を有し、それは、ワイヤレスデバイスのパフォーマンスに悪影響を及ぼしうる。
【００２９】
[0041]  図４Ａおよび４Ｂの例示的な設計は、１つのアンテナ上の２つの帯域ＡおよびＢの「フル（full）」多重化（multiplexing）を用いて、２つの帯域上のキャリアアグリゲーションをサポートする。具体的には、帯域ＡおよびＢの両方におけるデータ送信および受信は、（ｉ）図４Ａにおける２つのデュプレクサ４６０ａおよび４６０ｂとダイプレクサ４６６、または（ｉｉ）図４Ｂにおけるクアドプレクサ４６１、のいずれかを使用して、１次アンテナ４９０を介してサポートされる。
【００３０】
[0042]  フル多重を用いるキャリアアグリゲーションは、様々な不利益を有しうる。第１に、（例えば、図４Ｂに示されるように）２つのデュプレクサを１つのクアドプレクサに組み合わせること、または、（例えば、図４Ａに示されるように）２つのデュプレクサと１つのダイプレクサを使用することは、特に、２つの帯域ＡとＢとの間の周波数ギャップが小さいときに、インプリメントするのがより難しいことがある。第２に、（例えば、図４Ｂに示されるような）クアドプレクサに関する挿入損失、または（例えば、図４Ａに示されるような）ダイプレクサと組み合わせられたデュプレクサに関する挿入損失が、相対的に高いことがあり、それは、トランシーバのパフォーマンスを低下させうる。第３に、同じアンテナを介して２つの帯域上でデータ伝送を同時に送信することは、十分に低い高調波および相互変調歪み（ＩＭＤ）積を達成するために、余分の設計努力を必要としうる。第４に、図４Ａおよび図４Ｂの例示的な設計は、より大きい回路面積、より高いコンポーネント数、および／またはより高いコストをもたらしうる。
【００３１】
[0043]  本開示の一態様では、キャリアアグリゲーションは、マルチプルなアンテナを介したマルチプルな帯域上の伝送の「部分（partial）」多重化（multiplexing）を用いてサポートされうる。部分多重は、各アンテナを介したマルチプルな帯域の１つのサブセットのみでの伝送を指す。例えば、２つの帯域ＡおよびＢ上のキャリアアグリゲーションは、１次アンテナを介して帯域Ａ上で伝送することと、２次アンテナを介して帯域Ｂ上で伝送することとによってサポートされうる。部分多重は、アンテナ間分離（antenna-to-antenna isolation）による恩恵をもたらし、それは、データ送信および受信がマルチプルな帯域上で同時に生じるときに、回路の非線形性に起因して生成される、ＩＭＤ積および高調波の電力レベルを低減しうる。部分多重は、また、より単純な回路をもたらすことができ、それは、ワイヤレスデバイスのサイズおよびコストを低減しうる。
【００３２】
[0044]  図５Ａは、帯域ＡおよびＢの両方のためにダイバーシティ受信および部分多重を用いて２つのアンテナを介した２つの帯域上のキャリアアグリゲーションをサポートするアンテナインターフェース回路５５０および５５６を備えるＲＦフロントエンドユニット５１０の例示的な設計を示す。アンテナインターフェース回路５５０および５５６は、図３のアンテナインターフェース回路３５０および３５６にそれぞれ使用されうる。アンテナインターフェース回路５５０は、１次アンテナ５９０を介した、帯域Ａ上のアップリンクでのデータ送信と、帯域ＡおよびＢ上のダウンリンクでのデータ受信とをサポートする。アンテナインターフェース回路５５６は、２次アンテナ５９２を介した、帯域Ｂ上のアップリンクでのデータ送信と、帯域ＡおよびＢ上のダウンリンクでのデータ受信とをサポートする。
【００３３】
[0045]  図５Ａに示される例示的な設計では、アンテナインターフェース回路５５０は、帯域ＡおよびＢのためのトリプレクサ５６０を含む。トリプレクサ５６０は、ＰＡ５３０ａに結合された、帯域ＡのためのＴＸフィルタ５６２と、ＬＮＡ５４０ａに結合された、帯域ＡのためのＲＸフィルタ５６４と、ＬＮＡ５４０ｂに結合された、帯域ＢのためのＲＸフィルタ５６６とを含む。ＴＸフィルタ５６２の出力と、ＲＸフィルタ５６４および５６６の入力は、アンテナ５９０に結合された、トリプレクサ５６０の出力に結合される。
【００３４】
[0046]  一般に、「トリプレクサ（triplexer）」は、例えば、１つのＴＸフィルタと２つのＲＸフィルタといった、少なくとも３つのフィルタを備える回路モジュール／ブロックである。トリプレクサは、また、３つより多くのフィルタを含むことができ、それらフィルタのすべてまたはサブセットが使用されうる。例えば、トリプレクサは４つのフィルタを含みうるが、３つのフィルタのみが使用されて、トリプレクサの入力および出力に結合されうる。「マルチプレクサ（multiplexer）」は、少なくとも２つのフィルタを備える回路モジュール／ブロックである。マルチプレクサは、ダイプレクサ、トリプレクサ、クアドプレクサ、等でありうる。
【００３５】
[0047]  図５Ａに示される例示的な設計では、アンテナインターフェース回路５５６は、帯域ＡおよびＢのためのトリプレクサ５７０を含む。トリプレクサ５７０は、ＰＡ５３０ｂに結合された、帯域ＢのためのＴＸフィルタ５７２と、ＬＮＡ５４０ｃに結合された、帯域ＢのためのＲＸフィルタ５７４と、ＬＮＡ５４０ｄに結合された、帯域ＡのためのＲＸフィルタ５７６とを含む。ＴＸフィルタ５７２の出力と、ＲＸフィルタ５７４および５７６の入力は、アンテナ５９２に結合された、トリプレクサ５７０の出力に結合される。
【００３６】
[0048]  ＴＸフィルタ５６２および５７２と、ＲＸフィルタ５６４、５６６、５７４、および５７６は、様々な方法でインプリメントされうる。ＴＸフィルタまたはＲＸフィルタは、表面弾性波（ＳＡＷ）フィルタ、バルク弾性波（ＢＡＷ）フィルタ、薄膜圧電共振器（ＦＢＡＲ）フィルタ、微小電気機械システム（ＭＥＭＳ）フィルタ、セラミックフィルタ、等を用いてインプリメントされうる。
【００３７】
[0049]  図５Ａに示される例示的な設計では、帯域Ａについてのデータ送信および受信ならびに帯域Ｂについてのダイバーシティデータ受信は、アンテナインターフェース回路５５０および１次アンテナ５９０を介してサポートされる。帯域Ｂについてのデータ送信および受信ならびに帯域Ａについてのダイバーシティデータ受信は、アンテナインターフェース回路５５６および２次アンテナ５９２を介してサポートされる。１次アンテナ５９０と２次アンテナ５９２との間のアンテナ間分離は、ＩＭＤ積および高調波の電力レベルを低減するために利用され、それはパフォーマンスを改善しうる。
【００３８】
[0050]  図５Ｂは、２つの帯域ＡおよびＢ上のキャリアアグリゲーションをサポートするアンテナインターフェース回路５５０および５５６を備えるＲＦフロントエンドユニット５１２の例示的設計を示す。図５Ｂに示される例示的な設計では、帯域Ａについてのデータ送信と１次データ受信ならびに帯域Ｂについての１次データ受信は、アンテナインターフェース回路５５０および１次アンテナ５９０を介してサポートされる。帯域Ｂについてのデータ送信とダイバーシティデータ受信ならびに帯域Ａについてのダイバーシティデータ受信は、アンテナインターフェース回路５５６および２次アンテナ５９２を介してサポートされる。
【００３９】
[0051]  図５Ｃは、２つの帯域ＡおよびＢ上のキャリアアグリゲーションをサポートするアンテナインターフェース回路５５２および５５６を備えるＲＦフロントエンドユニット５１４の例示的な設計を示す。アンテナインターフェース回路５５２および５５６は、図３のアンテナインターフェース回路３５０および３５６にそれぞれ使用されうる。アンテナインターフェース回路５５２は、１次アンテナ５９０を介した、帯域Ａ上のアップリンクでのデータ送信と、帯域ＡおよびＢ上のダウンリンクでのデータ受信とをサポートする。アンテナインターフェース回路５５６は、２次アンテナ５９２を介した、帯域Ｂ上のアップリンクでのデータ送信と、帯域ＡおよびＢ上のダウンリンクでのデータ受信とをサポートする。
【００４０】
[0052]  図５Ｃに示される例示的な設計では、アンテナインターフェース回路５５２は、ローパスフィルタ５６８およびトリプレクサ５６０を含む。ローパスフィルタ５６８は、その入力がＰＡ５３０ａの出力に結合され、その出力がトリプレクサ５６０内のＴＸフィルタ５６２の入力に結合されている。ローパスフィルタ５６８は、ＰＡ５３０ａからの増幅されたＲＦ信号をフィルタリングして、帯域Ａ内の信号成分を通過させ、帯域Ａよりも高い高周波数信号成分を減衰させる。
【００４１】
[0053]  ＰＡ５３０ａからの増幅されたＲＦ信号は、帯域Ａにおいて送信され、帯域Ｂの受信周波数の範囲内に入る高調波を有しうる。例えば、増幅されたＲＦ信号は、帯域１７において送信され、帯域４の受信周波数範囲内に入る３次高調波を有しうる。帯域ＡのためのＴＸを１次アンテナ５９０上に配置し、帯域Ｂのための１次ＲＸを２次アンテナ５９２上に配置することによって、１次アンテナ５９０と２次アンテナ５９２との間の分離が、帯域Ｂ上に入る増幅されたＲＦ信号の高調波の（例えば、約１５ｄＢの）減衰を提供するために利用されうる。ローパスフィルタ５６８は、増幅されたＲＦ信号をフィルタリングし、増幅されたＲＦ信号の高調波の更なる減衰をもたらすことができる。したがって、ローパスフィルタ５６８は、帯域Ａ上の増幅されたＲＦ信号の高調波の除去を提供することができ、それは、２次アンテナ５９２を介した帯域Ｂ上の１次ＲＸと、１次アンテナ５９０を介した帯域Ｂ上のダイバーシティＲＸの両方にとって有益でありうる。
【００４２】
[0054]  図５Ｃには示されていないが、ローパスフィルタは、ＰＡ５３０ｂとＴＸフィルタ５７２との間に結合されて、ＰＡ５３０ｂからの増幅されたＲＦ信号の帯域外信号成分（例えば、高調波）を減衰させるために使用されうる。
【００４３】
[0055]  図５Ｄは、１つの帯域のみに関するダイバーシティ受信を用いて２つのアンテナを介した２つの帯域ＡおよびＢ上のキャリアアグリゲーションをサポートするアンテナインターフェース回路５５０および５５８を備えるＲＦフロントエンドユニット５１６の例示的な設計を示す。アンテナインターフェース回路５５０および５５８は、図３のアンテナインターフェース回路３５０および３５６にそれぞれ使用されうる。アンテナインターフェース回路５５０は、１次アンテナ５９０を介した、帯域Ａ上のアップリンクでのデータ送信と、帯域ＡおよびＢ上のダウンリンクでのデータ受信とをサポートする。アンテナインターフェース回路５５８は、２次アンテナ５９２を介した帯域Ｂ上のアップリンクでのデータ送信とダウンリンクでのデータ受信とをサポートする。アンテナインターフェース回路５５８は、帯域Ｂのためのデュプレクサ５７１を含む。デュプレクサ５７１は、ＰＡ５３０ｂに結合された、帯域ＢのためのＴＸフィルタ５７２と、ＬＮＡ５４０ｃに結合された、帯域ＢのためのＲＸフィルタ５７４とを含む。ＴＸフィルタ５７２の出力と、ＲＸフィルタ５７４の入力は、アンテナ５９２に結合された、デュプレクサ５７１の出力に結合される。
【００４４】
[0056]  図５Ｅは、２つの帯域ＡおよびＢに関するダイバーシティ受信を用いて、２つのアンテナを介した２つの帯域上のキャリアアグリゲーションをサポートするアンテナインターフェース回路５５０および５５９を備えるＲＦフロントエンドユニット５１７の例示的な設計を示す。アンテナインターフェース回路５５０および５５９は、図３のアンテナインターフェース回路３５０および３５６のためにそれぞれ使用されうる。アンテナインターフェース回路５５０は、１次アンテナ５９０を介した、帯域Ａ上のアップリンクでのデータ送信と、帯域ＡおよびＢ上のダウンリンクでのデータ受信とをサポートする。アンテナインターフェース回路５５９は、２次アンテナ５９２を介した帯域ＡおよびＢ上のダウンリンクでのデータ受信をサポートする。アンテナインターフェース回路５５９は、帯域ＡおよびＢのためのマルチプレクサ５７３を含む。マルチプレクサ５７３は、ＬＮＡ５４０ｃに結合された、帯域ＡのためのＲＸフィルタ５７５と、ＬＮＡ５４０ｄに結合された、帯域ＢのためのＲＸフィルタ５７７とを含む。ＲＸフィルタ５７５および５７７の出力は、アンテナ５９２に結合された、マルチプレクサ５７３の出力に結合される。
【００４５】
[0057]  図５Ｆは、ダイバーシティ受信を用いない、２つのアンテナを介した２つの帯域ＡおよびＢ上のキャリアアグリゲーションをサポートするアンテナインターフェース回路５５４および５５８を備えるＲＦフロントエンドユニット５１８の例示的な設計を示す。アンテナインターフェース回路５５４および５５８は、図３のアンテナインターフェース回路３５０および３５６にそれぞれ使用されうる。アンテナインターフェース回路５５４は、１次アンテナ５９０を介した帯域Ａ上のアップリンクでのデータ送信とダウンリンクでのデータ受信とをサポートする。アンテナインターフェース回路５５４は、帯域Ａのためのデュプレクサ５６１を含む。デュプレクサ５６１は、ＰＡ５３０ａに結合された、帯域ＡのためのＴＸフィルタ５６２と、ＬＮＡ５４０ａに結合された、帯域ＡのためのＲＸフィルタ５６４とを含む。ＴＸフィルタ５６２の出力と、ＲＸフィルタ５６４の入力は、アンテナ５９０に結合された、デュプレクサ５６１の出力に結合される。アンテナインターフェース回路５５８は、２次アンテナ５９２を介した帯域Ｂ上のアップリンクでのデータ送信とダウンリンクでのデータ受信とをサポートし、図５Ｄについて上述されている。
【００４６】
[0058]  図５Ａ〜５Ｆに示される例示的な設計は、帯域の様々な組み合わせをサポートするために使用されうる。表１は、図５Ａ〜５Ｆに示される例示的な設計によってサポートされうる、帯域の３つの例示的な組み合わせをリスト化している。表１の帯域は、ＬＴＥ／ＵＭＴＳについて定義され、ＬＴＥ帯域と呼ばれうる。表１の周波数は、ＭＨｚの単位である。  
【表１】
0006333813.tif 000002
【００４７】
表１の例１では、キャリアアグリゲーションが、高帯域にある帯域１と中帯域にある帯域２１についてサポートされている。例２では、キャリアアグリゲーションが、低帯域にある帯域５と低帯域にある帯域１２についてサポートされている。例３では、キャリアアグリゲーションが、高帯域にある帯域４と低帯域にある帯域１７についてサポートされている。帯域１７は、７０４〜７１６ＭＨｚというＴＸ／アップリンク周波数の範囲を有する。帯域１７のアップリンク周波数の範囲の３次高調波は、２１１２〜２１４８ＭＨｚの間に入り、それは、帯域４のための２１１０〜２１５５というＲＸ／ダウンリンク周波数の範囲とオーバーラップする。帯域１７上のアップリンクでのデータ送信は、帯域４上のダウンリンクでのデータ受信と干渉しうる。帯域１７が帯域４と干渉するレベル／程度は、低帯域デュプレクサにおける高調波除去、ダイプレクサにおける高調波除去、および１次アンテナと２次アンテナとの間のアンテナ間分離に起因する高調波減衰のような、様々なファクタに依存しうる。例えば、帯域１７上の送信信号の２次高調波は、帯域１７上の受信信号と混合し、帯域４上の受信信号に干渉をもたらしうる。
【００４８】
[0060]  部分多重は、例１〜３の帯域の組み合わせに様々な利点を提供しうる。第１に、アンテナ分離が最小帯域整合をもたらしうる。第２に、より低い挿入損失が得られ、（例えば、図４Ａの）２つのデュプレクサよりも、（例えば、図５Ａの）トリプレクサについてインピーダンスおよび／または電力を整合する方が容易でありうる。第３に、より良好な分離が帯域間で達成されうる。第４に、受信ダイバーシティのために追加のＲＸフィルタが必要とされない。第５に、高調波およびＩＭＤ積に対するより良好な耐性がＰＡ間で達成されうる。第６に、１次および２次アンテナが、通常、多くのワイヤレスデバイス上に既に存在するので、追加の送信アンテナは必要とされない。
【００４９】
[0061]  図５Ａ〜５Ｆは、２つのアンテナを介した２つの帯域ＡおよびＢ上のキャリアアグリゲーションを、部分多重を用いてサポートするＲＦフロントエンドユニットの例示的な設計を示す。一般に、部分多重は、任意の数のアンテナを介した任意の数の帯域上のキャリアアグリゲーションをサポートするために使用されうる。Ｎ個のアンテナを介したＫ個の帯域上のキャリアアグリゲーションを、部分多重を用いてサポートするために、各アンテナは、Ｋ個の帯域の異なるサブセット上のデータ伝送をサポートすることができ、ここで、Ｋ＞１およびＮ＞１である。１つの例示的な設計では、Ｎ個のアンテナは、同じ数の帯域上のデータ伝送をサポートしうる。例えば、各アンテナは、１つの帯域のみ、または２つの帯域、等でのデータ伝送をサポートしうる。別の例示的な設計では、Ｎ個のアンテナは、異なる数の帯域上のデータ伝送をサポートしうる。例えば、１つのアンテナが、１つの帯域上のデータ伝送をサポートし、別のアンテナが、２つの帯域等でのデータ伝送をサポートしうる。両方の例示的な設計では、各アンテナは、また、任意の数の帯域上のデータ受信をサポートしうる。Ｎ個のアンテナは、同じ数の帯域、または異なる数の帯域上のデータ受信をサポートしうる。例えば、各アンテナは、すべての帯域、あるいは１つの帯域、あるいは２つの帯域、あるいは１つまたは２つの帯域のいずれか、等でのデータ受信をサポートしうる。
【００５０】
[0062]  図６は、２つのアンテナを介して、ＭＩＭＯ通信、ならびに、１つの帯域Ａ上の帯域間キャリアアグリゲーションと、２つの帯域ＡおよびＢ上の帯域内キャリアアグリゲーションとをサポートする、アンテナインターフェース回路６５０および６５６を備えるＲＦフロントエンドユニット６１０の例示的な設計を示す。ＲＦフロントエンドユニット６１０は、また、帯域Ａがアップリンクおよびダウンリンクの両方をサポートし、帯域Ｂがダウンリンクのみをサポートするときに、帯域間キャリアアグリゲーションをサポートする。アンテナインターフェース回路６５０および６５６は、図３のアンテナインターフェース回路３５０および３５６にそれぞれ使用されうる。アンテナインターフェース回路６５０は、１次アンテナ６９０を介して、第１のアンテナのための、アップリンクでのデータ送信とダウンリンクでのデータ受信とをサポートする。アンテナインターフェース回路６５６は、２次アンテナ６９２を介して、第２のアンテナのための、アップリンクでのデータ送信とダウンリンクでのデータ受信とをサポートする。
【００５１】
[0063]  図６に示される例示的な設計では、アンテナインターフェース回路６５０は、帯域ＡおよびＢのためのトリプレクサ６６０を含む。トリプレクサ６６０は、ＰＡ６３０ａに結合されたＴＸフィルタ６６２と、ＬＮＡ６４０ａに結合されたＲＸフィルタ６６４と、ＬＮＡ６４０ｂに結合されたＲＸフィルタ６６６とを含む。ＴＸフィルタ６６２の出力と、ＲＸフィルタ６６４および６６６の入力は、アンテナ６９０に結合されたトリプレクサ６６０の出力に結合される。
【００５２】
[0064]  図６に示される例示的な設計では、アンテナインターフェース回路６５６は、帯域ＡおよびＢのためのトリプレクサ６７０を含む。トリプレクサ６６０は、ＰＡ６３０ｂに結合されたＴＸフィルタ６７２と、ＬＮＡ６４０ｃに結合されたＲＸフィルタ６７４と、ＬＮＡ６４０ｄに結合されたＲＸフィルタ６７６とを含む。ＴＸフィルタ６７２の出力と、ＲＸフィルタ６７４および６７６の入力は、アンテナ６９２に結合されたトリプレクサ６７０の出力に結合される。
【００５３】
[0065]  図６に示される例示的な設計では、第１のアンテナについてのデータ送信および受信ならびに第２のアンテナについてのダイバーシティデータ受信は、アンテナインターフェース回路６５０および１次アンテナ６９０を介してサポートされる。第２のアンテナについてのデータ送信および受信ならびに第１のアンテナについてのダイバーシティデータ受信は、アンテナインターフェース回路６５６および２次アンテナ６９２を介してサポートされる。１次アンテナ６９０と２次アンテナ６９２との間のアンテナ間分離は、ＩＭＤ積および高調波の電力レベルを低減するために利用され、それはパフォーマンスを改善しうる。
【００５４】
[0066]  図６は、部分多重を使用してＭＩＭＯ通信をサポートする例示的な設計を示す。部分多重は、また、他の方式でＭＩＭＯ通信をサポートするためにも使用されうる。トリプレクサは、（例えば、図６に示されるように）各アンテナについて使用され、ハードウェアまたはインプリメンテーションの変更なしに、（ｉ）連続または不連続な帯域内ＣＡ動作、および／または（ｉｉ）ＭＩＭＯ動作、をサポートしうる。
【００５５】
[0067]  図５Ａ〜５Ｅの例示的な設計は、少なくとも１つのアンテナの各々について単純なトリプレクサを使用して、１つの送信帯域を２つの受信帯域と多重化する。（例えば、図５Ａおよび５Ｂに示されるように）１次アンテナは、１つの帯域Ａ上のデータ送信と、２つの帯域ＡおよびＢ上のデータ受信とをサポートしうる。（例えば、図５Ａおよび５Ｂに示されるように）２次アンテナは、１つの帯域Ｂ上のデータ送信と、２つの帯域ＡおよびＢ上のデータ受信とをサポートしうる。図５Ａおよび５Ｂでは、ＬＮＡ５４０ａおよび５４０ｄの出力が、帯域Ａのための適切な受信回路にルーティングされうる。ＬＮＡ５４０ｂおよび５４０ｃの出力は、帯域Ｂのための適切な受信回路にルーティングされうる。
【００５６】
[0068]  例えば、図５Ａ〜５Ｆに示されるように、帯域間ＣＡは、部分多重を用いて、より良好にサポートされうる。クラスＡ１の帯域間ＣＡでは、クアドプレクサにおいて帯域ＡおよびＢのための２つのデュプレクサを多重化するよりも、トリプレクサ５６０において、帯域Ａのためのデュプレクサ（例えば、ＴＸフィルタ５６２とＲＸフィルタ５６４を備える）と、帯域ＢのためのＲＸフィルタ５６６とを整合させるほうが容易でありうる。クラスＡ２の帯域間ＣＡでは、（例えば、図４Ｂに示されるような）クアドプレクサおよび単一のアンテナを介した２つの帯域上の同時データ伝送と比較して、（例えば、図５Ａに示されるような）単一の帯域上のデータ伝送のための方が、より良好な高調波およびＩＭＤの除去を達成するのが容易でありうる。クラスＡ３の帯域間ＣＡでは、特に２つの帯域間の周波数ギャップが比較的小さいときには、（例えば、図４Ａに示されるような）２つのデュプレクサと１つのダイプレクサよりも、（例えば、図５Ａに示されるような）デュプレクサとＲＸフィルタとを備えるトリプレクサの方が、より低い挿入損失が達成されうる。
【００５７】
[0069]  （例えば、図５Ａ〜５Ｆに示されるように）部分多重によって各アンテナ上の複数の帯域のサブセット上の（例えば、１つの帯域上の）データ伝送をサポートすることは、様々な利点を提供しうる。第１に、部分多重は、上述の帯域間ＣＡの４つのクラスＡ１〜Ａ４すべてをサポートしうる。第２に、各アンテナに１つのトリプレクサで、２つのトリプレクサ５６０および５７０が２つのアンテナに使用される。トリプレクサは、インプリメントするのがより容易であり、（例えば、図４Ｂに示されるような）クアドプレクサ、または（例えば、図４Ａに示されるような）２つのデュプレクサと１つのダイプレクサとの組み合わせよりも、低い挿入損失を有しうる。トリプレクサは、また、図４Ａおよび４Ｂの例示的な設計と比較して、より小さい回路面積と、より少ないパーツ数を有しうる。
【００５８】
[0070]  第３に、部分多重を用いる、異なるアンテナを介した異なる帯域上のデータ伝送は、ＩＭＤ積および高調波の電力レベルを低減しうる。トランシーバ内の能動回路および受動回路（例えば、スイッチ、デュプレクサ、クアドプレクサ、トリプレクサ、ダイプレクサ、ＰＡ、等）は、いくらかの非線形性を本質的に有しうる。マルチプルな帯域上の同時データ伝送は、トランシーバ内の回路の非線形性により、高調波およびＩＭＤ積の生成をまねきうる。例えば、３次相互変調積（ＩＭ３）は、ＲＦフロントエンドユニットに存在している２つの送信機を介したデータ送信の相互変調に起因しうる。ＩＭ３は、受信周波数の範囲内に入り、ダウンリンク上の所望の信号を受信／検出するワイヤレスデバイスの機能を妨害しうる干渉として動作し、それは通常、デセンシング（de-sensing）と呼ばれる。２つの異なるアンテナを介した２つの帯域上の同時のデータ送信および受信は、デセンシングＩＭ３のレベルを低減しうる。さらに、アンテナは、限られた線形性により、ＩＭ３積を生成しうる。２つの帯域上のデータ伝送を２つの異なるアンテナに分離することは、アンテナ間分離にしたがって、アンテナシステムの要件を緩和しうる。特に、アンテナの線形性要件は、アンテナ間分離の量に依存しうる量だけ低減されうる。
【００５９】
[0071]  図５Ａ〜５Ｆは、２つのアンテナを介した２つの帯域上のキャリアアグリゲーションをサポートするための部分多重の例示的な設計を示す。部分多重は、また、２つのアンテナを介した２つより多くの帯域上のキャリアアグリゲーションをサポートするために使用されうる。
【００６０】
[0072]  図７Ａは、３つの帯域Ａ〜Ｃすべてについてのダイバーシティ受信を用いて、２つのアンテナを介した３つの帯域Ａ〜Ｃ上のキャリアアグリゲーションをサポートするアンテナインターフェース回路７２０および７２６を備えるＲＦフロントエンドユニット７１０の例示的な設計を示す。アンテナインターフェース回路７２０および７２６は、図３のアンテナインターフェース回路３５２および３５６にそれぞれ使用されうる。アンテナインターフェース回路７２０は、１次アンテナ７９０を介した、帯域ＡおよびＢ上のアップリンクでのデータ送信と、３つのすべての帯域上のダウンリンクでのデータ受信とをサポートする。アンテナインターフェース回路７２６は、２次アンテナ７９２を介した、帯域Ｃ上のアップリンクでのデータ送信と、３つのすべての帯域上のダウンリンクでのデータ受信とをサポートする。
【００６１】
[0073]  １つの例示的な設計では、帯域Ａ〜Ｃは、ＬＴＥ／ＵＭＴＳの周波数領域１をカバーし、以下の通りでありうる。  
・帯域Ａ（Band A）＝帯域２０（Ｂ２０）  
・帯域Ｂ（Band B）＝帯域３（Ｂ３）  
・帯域Ｃ（Band C）＝帯域７（Ｂ７）
[0074]  上述の例示的な設計では、帯域Ａは低帯域にあり、帯域Ｂおよび帯域Ｃは高帯域にある。帯域Ａ〜Ｃは、また、帯域の他の組み合わせにも対応しうる。
【００６２】
[0075]  図７Ａに示される例示的な設計では、アンテナインターフェース回路７２０は、帯域Ａのためのデュプレクサ７３０と、帯域Ｂおよび帯域Ｃのためのトリプレクサ７４０とを含む。デュプレクサ７３０は、帯域ＡのためのＴＸフィルタ７３２と、帯域ＡのためのＲＸフィルタ７３４とを含む。ＴＸフィルタ７３２の出力と、ＲＸフィルタ７３４の入力は、デュプレクサ７３０の出力に結合され、それは、ダイプレクサ７３８内の、帯域Ａのための第１のフィルタ（例えば、ローパスフィルタ）に結合される。トリプレクサ７４０は、帯域ＢのためのＴＸフィルタ７４２と、帯域ＢのためのＲＸフィルタ７４４と、帯域ＣのためのＲＸフィルタ７４６とを含む。ＴＸフィルタ７４２の出力と、ＲＸフィルタ７４４および７４６の入力は、トリプレクサ７４０の出力に結合され、それは、ダイプレクサ７３８内の、帯域Ｂおよび帯域Ｃのための第２のフィルタ（例えば、ハイパスフィルタ）に結合される。ダイプレクサ７３８は、スイッチ７４８の１つの入力に結合される。スイッチ７４８は、他の無線技術、他の帯域、等のための回路に結合された他の入力を含みうる。スイッチ７４８の出力は、１次アンテナ７９０に結合される。
【００６３】
[0076]  図７Ａに示される例示的な設計では、アンテナインターフェース回路７２６は、帯域Ａ〜Ｃのためのクアドプレクサ７５０を含む。クアドプレクサ７５０は、帯域ＣのためのＴＸフィルタ７５２と、帯域ＣのためのＲＸフィルタ７５４と、帯域ＡのためのＲＸフィルタ７５６と、帯域ＢのためのＲＸフィルタ７５８とを含む。ＴＸフィルタ７５２の出力と、ＲＸフィルタ７５４〜７５８の入力は、クアドプレクサ７５０の出力に結合され、それはスイッチ７６８の１つの入力に結合される。スイッチ７６８の他の入力は、他の無線技術、他の帯域、等のための回路に結合されうる。スイッチ７６８の出力は、２次アンテナ７９２に結合される。
【００６４】
[0077]  図７Ｂは、４つの帯域Ａ〜Ｄのすべてについてのダイバーシティ受信を用いて、２つのアンテナを介した４つの帯域Ａ〜Ｄ上のキャリアアグリゲーションをサポートする、アンテナインターフェース回路７２２および７２８を備えるＲＦフロントエンドユニット７１２の例示的な設計を示す。アンテナインターフェース回路７２２および７２８は、図３のアンテナインターフェース回路３５２および３５６にそれぞれ使用されうる。アンテナインターフェース回路７２２は、１次アンテナ７９０を介した、帯域ＡおよびＣ上のアップリンクでのデータ送信と、４つのすべての帯域上のダウンリンクでのデータ受信とをサポートする。アンテナインターフェース回路７２８は、２次アンテナ７９２を介した、帯域ＢおよびＤ上のアップリンクでのデータ送信と、４つのすべての帯域上のダウンリンクでのデータ受信とをサポートする。
【００６５】
[0078]  １つの例示的な設計では、帯域Ａ〜Ｄは、ＬＴＥ／ＵＭＴＳの周波数領域１をカバーし、以下の通りでありうる。  
・帯域Ａ＝帯域８（Ｂ８）  
・帯域Ｂ＝帯域２０（Ｂ２０）  
・帯域Ｃ＝帯域３（Ｂ３）  
・帯域Ｄ＝帯域７（Ｂ７）
[0079]  上述の例示的な設計では、帯域ＡおよびＢが低帯域にあり、帯域ＣおよびＤが高帯域にある。帯域Ａ〜Ｄは、また、帯域の他の組み合わせにも対応しうる。
【００６６】
[0080]  図７Ｂに示される例示的な設計では、アンテナインターフェース回路７２２は、帯域ＡおよびＢのためのトリプレクサ７３１と、帯域ＣおよびＤのためのトリプレクサ７４１とを含む。トリプレクサ７３１は、帯域ＡのためのＴＸフィルタ７３３と、帯域ＡのためのＲＸフィルタ７３５と、帯域ＢのためのＲＸフィルタ７３７とを含む。ＴＸフィルタ７３３の出力と、ＲＸフィルタ７３５および７３７の入力は、トリプレクサ７３１の出力に結合され、それはスイッチ７３９の入力に結合される。トリプレクサ７４１は、帯域ＣのためのＴＸフィルタ７４３と、帯域ＣのためのＲＸフィルタ７４５と、帯域ＤのためのＲＸフィルタ７４７とを含む。ＴＸフィルタ７４３の出力と、ＲＸフィルタ７４５および７４７の入力は、トリプレクサ７４１の出力に結合され、それはスイッチ７４９の入力に結合される。スイッチ７３９の出力は、ダイプレクサ７７９内の、帯域ＡおよびＢのための第１のフィルタ（例えば、ローパスフィルタ）に結合される。スイッチ７４９の出力は、ダイプレクサ７７９内の、帯域ＣおよびＤのための第２のフィルタ（例えば、ハイパスフィルタ）に結合される。ダイプレクサ７７９は、１次アンテナ７９０に結合される。スイッチ７３９および７４９は、また、他の無線技術、他の帯域、等のための回路に結合されうる。
【００６７】
[0081]  図７Ｂに示される例示的な設計では、アンテナインターフェース回路７２８は、帯域ＡおよびＢのためのトリプレクサ７５１と、帯域ＣおよびＤのためのトリプレクサ７６１とを含む。トリプレクサ７５１は、帯域ＢのためのＴＸフィルタ７５３と、帯域ＢのためのＲＸフィルタ７５５と、帯域ＡのためのＲＸフィルタ７５７とを含む。ＴＸフィルタ７５３の出力と、ＲＸフィルタ７５５および７５７の入力は、トリプレクサ７５１の出力に結合され、それはスイッチ７５９の入力に結合される。トリプレクサ７６１は、帯域ＤのためのＴＸフィルタ７６３と、帯域ＤのためのＲＸフィルタ７６５と、帯域ＣのためのＲＸフィルタ７６７とを含む。ＴＸフィルタ７６３の出力と、ＲＸフィルタ７６５および７６７の入力は、トリプレクサ７６１の出力に結合され、それはスイッチ７６９の入力に結合される。スイッチ７５９の出力は、ダイプレクサ７８９内の、帯域ＡおよびＢのための第１のフィルタに結合される。スイッチ７６９の出力は、ダイプレクサ７８９内の、帯域ＣおよびＤのための第２のフィルタに結合される。ダイプレクサ７８９は、２次アンテナ７９２に結合される。スイッチ７５９および７６９は、また、他の無線技術、他の帯域、等のための回路に結合されうる。
【００６８】
[0082]  図８Ａおよび８Ｂは、４つの帯域Ａ〜Ｄのすべてについてのダイバーシティ受信を用いて、２つのアンテナを介した４つの帯域Ａ〜Ｄ上のキャリアアグリゲーションをサポートするアンテナインターフェース回路８２０および８２６を備えるＲＦフロントエンドユニット８１０の例示的な設計を示す。図８Ａのアンテナインターフェース回路８２０は、図３のアンテナインターフェース回路３５０に使用され、図８Ｂのアンテナインターフェース回路８２６は、図３のアンテナインターフェース回路３５６に使用されうる。アンテナインターフェース回路８２０は、１次アンテナ８９０を介した、帯域ＡおよびＣ上のアップリンクでのデータ送信と、４つのすべての帯域上のダウンリンクでのデータ受信とをサポートする。アンテナインターフェース回路８２６は、２次アンテナ８９２を介した、帯域ＢおよびＤ上のアップリンクでのデータ送信と、４つのすべての帯域上のダウンリンクでのデータ受信とをサポートする。
【００６９】
[0083]  １つの例示的な設計では、帯域Ａ〜Ｄは、ＬＴＥ／ＵＭＴＳの周波数領域１をカバーし、以下の通りでありうる。  
・帯域Ａ＝帯域７（Ｂ７）  
・帯域Ｂ＝帯域３（Ｂ３）  
・帯域Ｃ＝帯域２０（Ｂ２０）  
・帯域Ｄ＝帯域８（Ｂ８）
[0084]  上述の例示的な設計では、帯域ＡおよびＢが高帯域にあり、帯域ＣおよびＤが低帯域にある。
【００７０】
[0085]  別の例示的な設計では、帯域Ａ〜Ｄが以下の帯域に対応しうる。  
・帯域Ａ＝帯域５（Ｂ５）  
・帯域Ｂ＝帯域１７（Ｂ１７）  
・帯域Ｃ＝帯域４（Ｂ４）  
・帯域Ｄ＝帯域２（Ｂ２）
[0086]  帯域Ａ〜Ｄは、また、帯域の他の組み合わせにも対応しうる。
【００７１】
[0087]  図８Ａに示される例示的な設計では、アンテナインターフェース回路８２０は、帯域ＡおよびＢのためのトリプレクサ８３０と、帯域ＣおよびＤのためのトリプレクサ８４０と、ダイプレクサ８３８と、スイッチ８４８とを含む。トリプレクサ８３０は、帯域ＡのためのＴＸフィルタ８３２と、帯域ＡのためのＲＸフィルタ８３４と、帯域ＢのためのＲＸフィルタ８３６とを含む。ＴＸフィルタ８３２の出力と、ＲＸフィルタ８３４および８３６の入力は、トリプレクサ８３０の出力に結合され、それは、ダイプレクサ８３８内の、帯域ＡおよびＢのための第１のフィルタ（例えば、ハイパスフィルタ）に結合される。トリプレクサ８４０は、帯域ＣのためのＴＸフィルタ８４２と、帯域ＣのためのＲＸフィルタ８４４と、帯域ＤのためのＲＸフィルタ８４６とを含む。ＴＸフィルタ８４２の出力と、ＲＸフィルタ８４４および８４６の入力は、トリプレクサ８４０の出力に結合され、それは、ダイプレクサ８３８内の、帯域ＣおよびＤのための第２のフィルタ（例えば、ローパスフィルタ）に結合される。ダイプレクサ８３８は、スイッチ８４８の１つの入力に結合される。スイッチ８４８は、他の無線技術、他の帯域、等のための回路に結合された他の入力を含みうる。スイッチ８４８の出力は、１次アンテナ８９０に結合される。
【００７２】
[0088]  図８Ｂに示される例示的な設計では、アンテナインターフェース回路８２６は、帯域Ａおよび帯域Ｂのためのトリプレクサ８５０と、帯域Ｃおよび帯域Ｄのためのトリプレクサ８６０と、ダイプレクサ８５８と、スイッチ８６８とを含む。トリプレクサ８５０は、帯域ＢのためのＴＸフィルタ８５２と、帯域ＢのためのＲＸフィルタ８５４と、帯域ＡのためのＲＸフィルタ８５６とを含む。ＴＸフィルタ８５２の出力と、ＲＸフィルタ８５４および８５６の入力は、トリプレクサ８５０の出力に結合され、それはダイプレクサ８５８に結合される。トリプレクサ８６０は、帯域ＤのためのＴＸフィルタ８６２と、帯域ＤのためのＲＸフィルタ８６４と、帯域ＣのためのＲＸフィルタ８６６とを含む。ＴＸフィルタ８６２の出力と、ＲＸフィルタ８６４および８６６の入力は、トリプレクサ８６０の出力に結合され、それはダイプレクサ８５８に結合される。ダイプレクサ８５８は、スイッチ８６８の１つの入力に結合される。スイッチ８６８の他の入力は、他の無線技術、他の帯域、等のための回路に結合されうる。スイッチ８６８の出力は、２次アンテナ８９２に結合される。
【００７３】
[0089]  図８Ａおよび８Ｂの例示的な設計は、様々な利点を提供しうる。第１に、より低い挿入損失を有するクアドプレクサよりも、トリプレクサ８３０、８４０、８５０、および８６０の方がインプリメントするのが容易でありうる。第２に、帯域Ａと帯域Ｂ（例えば、帯域７と帯域３）、帯域Ａと帯域Ｄ（例えば、帯域７と帯域８）、帯域Ｂと帯域Ｃ（例えば、帯域３と帯域２０）、および帯域Ｃと帯域Ｄ（例えば、帯域２０と帯域８）の様々な組み合わせの、ＩＭＤ積および高調波の電力レベルは、部分多重を用いると大幅に低くなりうる。第３に、第２の他の無線技術のためのフィルタがスイッチ８４８および８６８に直接結合されうるので、トリプレクサ８３０、８４０、８５０、および８６０は、他の無線技術のパフォーマンスに影響を及ぼさず、したがって、追加の挿入損失は観察されない。
【００７４】
[0090]  図９Ａおよび９Ｂは、６つの帯域Ａ〜Ｆすべてについてのダイバーシティ受信を用いて、２つのアンテナを介した６つの帯域Ａ〜Ｆ上のキャリアアグリゲーションをサポートするアンテナインターフェース回路９２０および９２６を備えるＲＦフロントエンドユニット９１０の例示的な設計を示す。図９Ａのアンテナインターフェース回路９２０は、図３のアンテナインターフェース回路３５０に使用され、図９Ｂのアンテナインターフェース回路９２６は、図３のアンテナインターフェース回路３５６に使用されうる。アンテナインターフェース回路９２０は、１次アンテナ９９０を介した、帯域Ａ、帯域Ｃ、および帯域Ｄ上のアップリンクでのデータ送信と６つのすべての帯域上のダウンリンクでのデータ受信とをサポートする。アンテナインターフェース回路９２６は、２次アンテナ９９２を介した、帯域Ｂ、帯域Ｅ、および帯域Ｆ上のアップリンクでのデータ送信と６つのすべての帯域上のダウンリンクでのデータ受信とをサポートする。
【００７５】
[0091]  １つの例示的な設計では、帯域Ａ〜Ｆは、ＬＴＥ／ＵＭＴＳの周波数領域２および３をカバーし、以下の通りでありうる。  
・帯域Ａ＝帯域１および／または帯域４（Ｂ１／Ｂ４）  
・帯域Ｂ＝帯域７（Ｂ７）  
・帯域Ｃ＝帯域２および／または帯域３（Ｂ２／Ｂ３）  
・帯域Ｄ＝帯域５（Ｂ５）  
・帯域Ｅ＝帯域８（Ｂ８）  
・帯域Ｆ＝帯域１２、帯域１３および／または帯域１７（Ｂ１２／Ｂ１３／Ｂ１７）
[0092]  上述の例示的な設計では、帯域Ａ、帯域Ｂ、および帯域Ｃが高帯域にあり、帯域Ｄ、帯域Ｅ、および帯域Ｆが低帯域にある。帯域Ａ〜Ｆは、また、帯域の他の組み合わせにも対応しうる。
【００７６】
[0093]  図９Ａに示される例示的な設計では、アンテナインターフェース回路９２０は、帯域ＡおよびＢのためのトリプレクサ９３０と、帯域ＢおよびＣのためのトリプレクサ９４０と、帯域Ｄ、Ｅ、およびＦのためのクアドプレクサ９５０と、スイッチ９３８と、ダイプレクサ９４８とを含む。トリプレクサ９３０は、帯域ＡのためのＴＸフィルタ９３２と、帯域ＡのためのＲＸフィルタ９３４と、帯域ＢのためのＲＸフィルタ９３６とを含む。ＴＸフィルタ９３２の出力と、ＲＸフィルタ９３４および９３６の入力は、トリプレクサ９３０の出力に結合され、それはスイッチ９３８の第１の入力に結合される。トリプレクサ９４０は、帯域ＣのためのＴＸフィルタ９４２と、帯域ＣのためのＲＸフィルタ９４４と、帯域ＢのためのＲＸフィルタ９４６とを含む。ＴＸフィルタ９４２の出力と、ＲＸフィルタ９４４および９４６の入力は、トリプレクサ９４０の出力に結合され、それはスイッチ９３８の第２の入力に結合される。スイッチ９３８は、他の無線技術、他の帯域、等のための回路に結合された他の入力を含みうる。スイッチ９３８は、また、ダイプレクサ９４８内の、帯域Ａ、Ｂ、およびＣのための第１のフィルタ（例えば、ハイパスフィルタ）に結合された出力を含む。クアドプレクサ９５０は、帯域ＤのためのＴＸフィルタ９５２と、帯域ＤのためのＲＸフィルタ９５４と、帯域ＥのためのＲＸフィルタ９５６と、帯域ＦのためのＲＸフィルタ９５８とを含む。ＴＸフィルタ９５２の出力と、ＲＸフィルタ９５４、９５６、および９５８の入力は、クアドプレクサ９５０の出力に結合され、それは、ダイプレクサ９４８内の、帯域Ｄ、Ｅ、およびＦのための第２のフィルタ（例えば、ローパスフィルタ）に結合される。ダイプレクサ９４８は、１次アンテナ９９０に結合される。
【００７７】
[0094]  図９Ｂに示される例示的な設計では、アンテナインターフェース回路９２６は、帯域ＤおよびＥのためのトリプレクサ９６０と、帯域ＤおよびＦのためのトリプレクサ９７０と、帯域Ａ、Ｂ、およびＣのためのクアドプレクサ９８０と、スイッチ９６８と、ダイプレクサ９７８とを含む。トリプレクサ９６０は、帯域ＥのためのＴＸフィルタ９６２と、帯域ＥのためのＲＸフィルタ９６４と、帯域ＤのためのＲＸフィルタ９６６とを含む。ＴＸフィルタ９６２の出力と、ＲＸフィルタ９６４および９６６の入力は、トリプレクサ９６０の出力に結合され、それはスイッチ９６８の第１の入力に結合される。トリプレクサ９７０は、帯域ＦのためのＴＸフィルタ９７２と、帯域ＦのためのＲＸフィルタ９７４と、帯域ＤのためのＲＸフィルタ９７６とを含む。ＴＸフィルタ９７２の出力と、ＲＸフィルタ９７４および９７６の入力は、トリプレクサ９７０の出力に結合され、それはスイッチ９６８の第２の入力に結合される。スイッチ９６８は、他の無線技術、他の帯域、等のための回路に結合された他の入力を含みうる。スイッチ９６８は、また、ダイプレクサ９７８内の、帯域Ｄ、Ｅ、およびＦのための第１のフィルタ（例えば、ローパスフィルタ）に結合された出力を含む。クアドプレクサ９８０は、帯域ＢのためのＴＸフィルタ９８２と、帯域ＢのためのＲＸフィルタ９８４と、帯域ＡのためのＲＸフィルタ９８６と、帯域ＣのためのＲＸフィルタ９８８とを含む。ＴＸフィルタ９８２の出力と、ＲＸフィルタ９８４、９８６、および９８８の入力は、クアドプレクサ９８０の出力に結合され、それは、ダイプレクサ９７８内の、帯域Ａ、Ｂ、およびＣのための第２のフィルタ（例えば、ハイパスフィルタ）に結合される。ダイプレクサ９７８は、２次アンテナ９９２に結合される。
【００７８】
[0095]  図１０は、６つの帯域Ａ〜Ｆ上のキャリアアグリゲーションをサポートするアンテナインターフェース回路１０２０を備えるＲＦフロントエンドユニット１０１０の例示的な設計を示す。アンテナインターフェース回路１０２０は、１次アンテナ１０９０を介した６つのすべての帯域上の、アップリンクでのデータ送信とダウンリンクでのデータ受信とをサポートする。別のアンテナインターフェース回路が、２次アンテナに使用され、アンテナインターフェース回路１０２０と同様の方法でインプリメントされうる。
【００７９】
[0096]  １つの例示的な設計では、帯域Ａ〜Ｆが以下の帯域に対応しうる。  
・帯域Ａ＝帯域１３（Ｂ１３）  
・帯域Ｂ＝帯域９（Ｂ９）  
・帯域Ｃ＝帯域２０（Ｂ２０）  
・帯域Ｄ＝帯域４（Ｂ４）  
・帯域Ｅ＝帯域３（Ｂ３）  
・帯域Ｆ＝帯域７（Ｂ７）
[0097]  帯域Ａ〜Ｆは、また、帯域の他の組み合わせにも対応しうる。
【００８０】
[0098]  図１０に示される例示的な設計では、アンテナインターフェース回路１０２０は、帯域Ａのためのデュプレクサ１０３０と、帯域ＢおよびＣのためのクアドプレクサ１０４０と、帯域Ｄのためのデュプレクサ１０５０と、帯域ＥおよびＦのためのクアドプレクサ１０６０と、スイッチ１０３８および１０５８と、ダイプレクサ１０７０とを含む。デュプレクサ１０３０は、帯域ＡのためのＴＸフィルタ１０３２と、帯域ＡのためのＲＸフィルタ１０３４とを含む。ＴＸフィルタ１０３２の出力と、ＲＸフィルタ１０３４の入力は、デュプレクサ１０３０の出力に結合され、それはスイッチ１０３８の第１の入力に結合される。クアドプレクサ１０４０は、帯域ＢのためのＴＸフィルタ１０４２と、帯域ＢのためのＲＸフィルタ１０４４と、帯域ＣのためのＴＸフィルタ１０４６と、帯域ＣのためのＲＸフィルタ１０４８とを含む。ＴＸフィルタ１０４２および１０４６の出力と、ＲＸフィルタ１０４４および１０４８の入力は、クアドプレクサ１０４０の出力に結合され、それはスイッチ１０３８の第２の入力に結合される。スイッチ１０３８は、他の無線技術、他の帯域、等のための回路に結合された他の入力を含みうる。スイッチ１０３８は、また、ダイプレクサ１０７０内の、帯域Ａ、Ｂ、およびＣのための第１のフィルタ（例えば、ローパスフィルタ）に結合された出力を含む。
【００８１】
[0099]  デュプレクサ１０５０は、帯域ＤのためのＴＸフィルタ１０５２と、帯域ＤのためのＲＸフィルタ１０５４とを含む。ＴＸフィルタ１０５２の出力と、ＲＸフィルタ１０５４の入力は、デュプレクサ１０５０の出力に結合され、それはスイッチ１０５８の第１の入力に結合される。クアドプレクサ１０６０は、帯域ＥのためのＴＸフィルタ１０６２と、帯域ＥのためのＲＸフィルタ１０６４と、帯域ＦのためのＴＸフィルタ１０６６と、帯域ＦのためのＲＸフィルタ１０６８とを含む。ＴＸフィルタ１０６２および１０６６の出力と、ＲＸフィルタ１０６４および１０６８の入力は、クアドプレクサ１０６０の出力に結合され、それはスイッチ１０５８の第２の入力に結合される。スイッチ１０５８は、他の無線技術、他の帯域、等のための回路に結合された他の入力を含みうる。スイッチ１０５８は、また、ダイプレクサ１０７０内の、帯域Ｄ、Ｅ、およびＦのための第２のフィルタ（例えば、ハイパスフィルタ）に結合された出力を含む。
【００８２】
[00100]  例示的な設計では、装置（例えば、ワイヤレスデバイス、ＩＣ、回路モジュール、等）が、第１および第２のアンテナインターフェース回路を備えうる。第１のアンテナインターフェース回路（例えば、図５Ａのアンテナインターフェース回路５５０）は、第１の帯域に関する第１のＴＸフィルタ（例えば、ＴＸフィルタ５６２）を備えうる。第１のＴＸフィルタは、第１のアンテナ（例えば、１次アンテナ５９０）を介した送信の前に第１のＲＦ信号をフィルタリングしうる。第２のアンテナインターフェース回路（例えば、図５Ａのアンテナインターフェース回路５５６）は、第２の帯域に関する第２のＴＸフィルタ（例えば、ＴＸフィルタ５７２）を備えうる。第２の帯域は、第１の帯域と同じでありうるか、または、第１の帯域とは異なるものでありうる。第２のＴＸフィルタは、第２のアンテナ（例えば、２次アンテナ５９２）を介した送信の前に第２のＲＦ信号をフィルタリングしうる。第１および第２のＲＦ信号は、第１および第２の帯域上でワイヤレスネットワークに同時に送信されうる。例えば、第１および第２のＲＦ信号は、キャリアアグリゲーションのための第１および第２の帯域内の第１および第２のキャリア上でそれぞれ同時に送信されうる。第１のＲＦ信号は、第１のアンテナインターフェース回路および第１のアンテナを介して第１の帯域上で送信されうる。第２のＲＦ信号は、第２のアンテナインターフェース回路および第２のアンテナを介して第２の帯域上で送信されうる。
【００８３】
[00101]  第２の帯域は、第１の帯域とは異なるものでありうる。例示的な設計では、第１および第２の帯域は、同じ帯域グループにありえ、それは、低帯域、または中帯域、または高帯域でありうる。別の例示的な設計では、第１および第２の帯域は、例えば、低帯域と中帯域、または低帯域と高帯域、または中帯域と高帯域といった、異なる帯域グループにありうる。
【００８４】
[00102]  図５Ａに示される例示的な設計では、第１のアンテナインターフェース回路は、第１の帯域に関する第１のＴＸフィルタと、第１の帯域に関する第１のＲＸフィルタ（例えば、ＲＸフィルタ５６４）と、第２の帯域に関する第２のＲＸフィルタ（例えば、ＲＸフィルタ５６６）とを含む、第１のトリプレクサ（例えば、トリプレクサ５６０）を備えうる。第２のアンテナインターフェース回路は、第２の帯域に関する第２のＴＸフィルタと、第２の帯域に関する第３のＲＸフィルタ（例えば、ＲＸフィルタ５７４）と、第１の帯域に関する第４のＲＸフィルタ（例えば、ＲＸフィルタ５７６）とを含む、第２のトリプレクサ（例えば、トリプレクサ５７０）を備えうる。
【００８５】
[00103]  図５Ａに示される１つの例示的な設計では、各アンテナが、１つの帯域に関する１次ＲＸと、別の帯域に関するダイバーシティＲＸとをサポートしうる。第１のＲＸフィルタは、第１の帯域に関する１次ダウンリンクとして構成され、第２のＲＸフィルタは、第２の帯域に関するダイバーシティダウンリンクとして構成されうる。第３のＲＸフィルタは、第２の帯域に関する１次ダウンリンクとして構成され、第４のＲＸフィルタは、第１の帯域に関するダイバーシティダウンリンクとして構成されうる。
【００８６】
[00104]  図５Ｂに示される別の例示的な設計では、１次アンテナが、両方の帯域に関する１次ダウンリンクをサポートし、２次アンテナは、両方の帯域に関するダイバーシティダウンリンクをサポートしうる。第１のＲＸフィルタは、第１の帯域に関する１次ダウンリンクとして構成され、第２のＲＸフィルタは、第２の帯域に関する１次ダウンリンクとして構成されうる。第３のＲＸフィルタは、第２の帯域に関するダイバーシティダウンリンクとして構成され、第４のＲＸフィルタは、第１の帯域に関するダイバーシティダウンリンクとして構成されうる。
【００８７】
[00105]  図５Ｆに示される別の例示的な設計では、第１のアンテナインターフェース回路は、第１の帯域に関する第１のＴＸフィルタとＲＸフィルタとを含むデュプレクサ（例えば、デュプレクサ５６１）を備えうる。代替的に、または追加的に、第２のアンテナインターフェース回路は、第２の帯域に関する第２のＴＸフィルタとＲＸフィルタとを含むデュプレクサ（例えば、図５Ｄおよび５Ｆのデュプレクサ５７１）を備えうる。
【００８８】
[00106]  １つの例示的な設計では、ローパスフィルタ（例えば、図５Ｃのローパスフィルタ５６８）が、第１のＴＸフィルタに結合されうる。ローパスフィルタは、第１のＲＦ信号をフィルタリングし、第１のＲＦ信号の少なくとも１つの高調波（例えば、３次高調波）を減衰しうる。第１のＲＦ信号は、第１の帯域において送信されうるが、第１のＲＦ信号の高調波は、第２の帯域の受信周波数の範囲内に入りうる。ローパスフィルタは、この第１のＲＦ信号の高調波を減衰し、それは、データ受信のパフォーマンスを改善しうる。
【００８９】
[00107]  図８Ａに示される別の例示的な設計では、第１のアンテナインターフェース回路は、第１および第２のトリプレクサを備えうる。第１のトリプレクサ（例えば、図８Ａのトリプレクサ８３０）は、第１の帯域に関する第１のＴＸフィルタと、第１の帯域に関する第１のＲＸフィルタ（例えば、ＲＸフィルタ８３４）と、第２の帯域に関する第２のＲＸフィルタ（例えば、ＲＸフィルタ８３６）とを含みうる。第２のトリプレクサ（例えば、トリプレクサ８４０）は、第３の帯域に関する第３のＴＸフィルタ（例えば、ＴＸフィルタ８４２）と、第３の帯域に関する第３のＲＸフィルタ（例えば、ＲＸフィルタ８４４）と、第４の帯域に関する第４のＲＸフィルタ（例えば、ＲＸフィルタ８４６）とを含みうる。第１のアンテナインターフェース回路は、さらに、ダイプレクサと少なくとも１つのスイッチとを備えうる。ダイプレクサ（例えば、ダイプレクサ８３８）は、第１および第２のトリプレクサと第１のアンテナとの間に結合されうる。少なくとも１つのスイッチ（例えば、スイッチ８４８）は、ダイプレクサと第１のアンテナとの間に結合されうる。
【００９０】
[00108]  図８Ｂに示される例示的な設計では、第２のアンテナインターフェース回路は、第３および第４のトリプレクサを備えうる。第３のトリプレクサ（例えば、図８Ｂのトリプレクサ８５０）は、第２の帯域に関する第２のＴＸフィルタ（例えば、ＴＸフィルタ８５２）と、第２の帯域に関する第５のＲＸフィルタ（例えば、ＲＸフィルタ８５４）と、第１の帯域に関する第６のＲＸフィルタ（例えば、ＲＸフィルタ８５６）とを含みうる。第４のトリプレクサ（例えば、トリプレクサ８６０）は、第４の帯域に関する第４のＴＸフィルタ（例えば、ＴＸフィルタ８６０）と、第４の帯域に関する第７のＲＸフィルタ（例えば、ＲＸフィルタ８６４）と、第３の帯域に関する第８のＲＸフィルタ（例えば、ＲＸフィルタ８６６）とを含みうる。第２のアンテナインターフェース回路は、さらに、第３および第４のトリプレクサと第２のアンテナとの間に結合された、ダイプレクサ（例えば、ダイプレクサ８５８）と少なくとも１つのスイッチ（例えば、スイッチ８６８）とを備えうる。
【００９１】
[00109]  図９Ａに示されるさらに別の例示的な設計では、第１のアンテナインターフェース回路は、第１、第２、および第３のマルチプレクサを備えうる。第１のマルチプレクサ（例えば、図９Ａのトリプレクサ９３０）は、第１の帯域に関する、第１のＴＸフィルタと第１のＲＸフィルタ（例えば、ＲＸフィルタ９３４）とを含みうる。第２のマルチプレクサ（例えば、トリプレクサ９４０）は、第３の帯域に関する、第３のＴＸフィルタ（例えば、ＴＸフィルタ９４２）と第２のＲＸフィルタ（例えば、ＲＸフィルタ９４４）とを含みうる。第３のマルチプレクサ（例えば、クアドプレクサ９５０）は、第４の帯域に関する、第４のＴＸフィルタ（例えば、ＴＸフィルタ９５２）と第３のＲＸフィルタ（例えば、ＲＸフィルタ９５４）とを含みうる。第１のアンテナインターフェース回路は、さらに、（ｉ）第１および第２のマルチプレクサに結合された少なくとも１つのスイッチ（例えば、スイッチ９３８）、および（ｉｉ）少なくとも１つのスイッチと、第３のマルチプレクサと、第１のアンテナとに結合されたダイプレクサ（例えば、ダイプレクサ９４８）を備えうる。例えば、図９Ａに示されるように、第１、第２、および第３のマルチプレクサは、追加のＴＸフィルタ、および／またはＲＸフィルタを備えうる。
【００９２】
[00110]  図９Ｂに示される例示的な設計では、第２のアンテナインターフェース回路は、第４、第５、および第６のマルチプレクサを備えうる。第４のマルチプレクサ（例えば、図９Ｂのトリプレクサ９６０）は、第２の帯域に関する、第２のＴＸフィルタ（例えば、ＴＸフィルタ９６２）と第４のＲＸフィルタ（例えば、ＲＸフィルタ９６４）とを含みうる。第５のマルチプレクサ（例えば、トリプレクサ９７０）は、第５の帯域に関する、第５のＴＸフィルタ（例えば、ＴＸフィルタ９７２）と第５のＲＸフィルタ（例えば、ＲＸフィルタ９７４）とを含みうる。第６のマルチプレクサ（例えば、クアドプレクサ９８０）は、第６の帯域に関する、第６のＴＸフィルタ（例えば、ＴＸフィルタ９８２）と第６のＲＸフィルタ（例えば、ＲＸフィルタ９８４）とを含みうる。例えば、図９Ｂに示されるように、第４、第５、および第６のマルチプレクサは、追加のＴＸフィルタ、および／またはＲＸフィルタを備えうる。
【００９３】
[00111]  例示的な設計では、第１のアンテナは、少なくとも１つの目標（target）アンテナ間分離だけ、第２のアンテナから離隔され、それは１５ｄＢまたは他の何らかの値でありうる。第１および第２のＲＦ信号がキャリアアグリゲーションのための異なるアンテナを介して異なる帯域上で同時に送信されるときには、アンテナ間分離は、上述の様々な利点（例えば、ＩＭＤ積および高調波の電力レベルの低減）をもたらしうる。
【００９４】
[00112]  別の例示的な設計では、装置（例えば、ワイヤレスデバイス、ＩＣ、回路モジュール、等）が、トリプレクサおよびマルチプレクサを備えうる。トリプレクサは、第１のアンテナに動作可能に結合され、第１の帯域に関する第１のＴＸフィルタと、第１の帯域に関する第１のＲＸフィルタと、第２の帯域に関する第２のＲＸフィルタとを備えうる。第２の帯域は第１の帯域とは異なる。マルチプレクサは、第２のアンテナに動作可能に結合され、第２の帯域に関する第２のＴＸフィルタと、第１の帯域に関する第３のＲＸフィルタとを備えうる。トリプレクサとマルチプレクサは、第１および第２の帯域の一方または両方での、（例えば、単一のワイヤレスネットワークとの）通信をサポートしうる。
【００９５】
[00113]  例示的な設計では、マルチプレクサは、トリプレクサであり、第２の帯域に関する第２のＴＸフィルタと、第１の帯域に関する第３のＲＸフィルタと、第２の帯域に関する第４のＲＸフィルタとを含みうる。別の例示的な設計では、マルチプレクサは、デュプレクサ、またはクアドプレクサ、または他の何らかの回路でありうる。
【００９６】
[00114]  例示的な設計では、トリプレクサおよびマルチプレクサが、ダウンリンク上のキャリアアグリゲーションをサポートし、第１および第２の帯域上で同時に送信されたダウンリンクデータ伝送を受信しうる。別の例示的な設計では、トリプレクサおよびマルチプレクサが、アップリンク上のキャリアアグリゲーションをサポートし、キャリアアグリゲーションのための、（ｉ）第１のアンテナを介した第１の帯域上の第１のアップリンクデータ伝送、および（ｉｉ）第２のアンテナを介した第２の帯域上の第２のアップリンクデータ伝送、を同時に送信しうる。更に別の例示的な設計では、トリプレクサが、キャリアアグリゲーションを用いずに、第１のアンテナを介して第１の帯域上でアップリンクデータ伝送を送信しうる。
【００９７】
[00115]  図１１は、キャリアアグリゲーションをサポートするためのプロセス１１００の例示的な設計を示す。第１のＲＦ信号は、第１のアンテナを介した送信の前に、第１の帯域に関する第１のＴＸフィルタ（例えば、図５ＡのＴＸフィルタ５６２）を用いてフィルタリングされうる（ブロック１１１２）。第２のＲＦ信号は、第２のアンテナを介した送信の前に、第２の帯域に関する第２のＴＸフィルタ（例えば、ＴＸフィルタ５７２）を用いてフィルタリングされうる（ブロック１１１４）。第１および第２のＲＦ信号は、キャリアアグリゲーションのための、第１および第２のアンテナを介して第１および第２の帯域上で同時に送信されうる。
【００９８】
[00116]  第３のＲＦ信号は、第１のアンテナを介して受信され、第１の帯域に関する第１のＲＸフィルタ（例えば、図５ＡのＲＸフィルタ５６４）を用いてフィルタリングされうる（ブロック１１１６）。第４のＲＦ信号は、第２のアンテナを介して受信され、第２の帯域に関する第２のＲＸフィルタ（例えば、ＲＸフィルタ５７４）を用いてフィルタリングされうる（ブロック１１１８）。第５のＲＦ信号は、第１のアンテナを介して受信され、第２の帯域に関する第３のＲＸフィルタ（例えば、ＲＸフィルタ５６６）を用いてフィルタリングされうる（ブロック１１２０）。第６のＲＦ信号は、第２のアンテナを介して受信され、第１の帯域に関する第４のＲＸフィルタ（例えば、ＲＸフィルタ５７６）を用いてフィルタリングされうる（ブロック１１２２）。
【００９９】
[00117]  ここに説明された、アンテナインターフェース回路およびフィルタは、ＩＣ、アナログＩＣ、ＲＦＩＣ、混合信号ＩＣ、ＡＳＩＣ、プリント基板（ＰＣＢ）、電子デバイス、等にインプリメントされうる。アンテナインターフェース回路およびフィルタは、また、様々な技術を用いて製造されうる。アンテナインターフェース回路内の能動回路は、相補型金属酸化膜半導体（ＣＭＯＳ）、ＮチャネルＭＯＳ（ＮＭＯＳ）、ＰチャネルＭＯＳ（ＰＭＯＳ）、バイポーラ接合トランジスタ（ＢＪＴ）、バイポーラＣＭＯＳ（ＢｉＣＭＯＳ）、シリコンゲルマニウム（ＳｉＧｅ）、ガリウム砒素（ＧａＡｓ）、ヘテロ接合バイポーラトランジスタ（ＨＢＴ）、高電子移動度トランジスタ（ＨＥＭＴ）、シリコンオンインシュレータ（ＳＯＩ）、等のような、様々なＩＣ処理技術を用いて製造されうる。
【０１００】
[00118]  ここに説明されたアンテナインターフェース回路および／またはフィルタをインプリメントする装置は、スタンドアロン型デバイスでありうるか、またはより大型のデバイスの一部でありうる。デバイスは、（ｉ）スタンドアロン型ＩＣ、（ｉｉ）データおよび／または命令を記憶するためのメモリＩＣを含みうる１つまたは複数のＩＣのセット、（ｉｉｉ）ＲＦ受信機（ＲＦＲ）またはＲＦ送信機／受信機（ＲＴＲ）のようなＲＦＩＣ、（ｉｖ）移動局モデム（ＭＳＭ）のようなＡＳＩＣ、（ｖ）他のデバイス内に組み込まれうるモジュール、（ｖｉ）受信機、セルラーフォン、ワイヤレスデバイス、ハンドセット、またはモバイルユニット、（ｖｉｉ）その他、でありうる。
【０１０１】
[00119]  １つまたは複数の例示的な設計では、説明された複数の機能が、ハードウェア、ソフトウェア、ファームウェア、またはこれらの任意の組み合わせにインプリメントされうる。ソフトウェアにインプリメントされる場合、これらの機能は、コンピュータ読取可能媒体上で、１つまたは複数の命令またはコードとして送信または記憶されうる。コンピュータ読取可能媒体は、１つの場所から別の場所へのコンピュータプログラムの転送を容易にする任意の媒体を含むコンピュータ記憶媒体および通信媒体の両方を含む。記憶媒体は、コンピュータによってアクセスされうる任意の利用可能な媒体でありうる。限定ではなく例として、そのようなコンピュータ読取可能媒体は、ＲＡＭ、ＲＯＭ、ＥＥＰＲＯＭ、ＣＤ−ＲＯＭ、または他の光ディスク記憶装置、磁気ディスク記憶装置あるいは他の磁気記憶デバイス、または、命令あるいはデータ構造の形態で所望のプログラムコードを搬送あるいは記憶するために使用されることができ、コンピュータによってアクセスされることができる、任意の他の媒体を備えることができる。また、任意の接続は、コンピュータ読取可能媒体と適切に称される。例えば、ソフトウェアが、ウェブサイト、サーバ、または、同軸ケーブル、光ファイバーケーブル、ツイストペア、デジタル加入者ライン（ＤＳＬ）、あるいは赤外線、無線、およびマイクロ波のようなワイヤレス技術を使用している他の遠隔ソース、から送信される場合には、同軸ケーブル、光ファイバーケーブル、ツイストペア、ＤＳＬ、または赤外線、無線、およびマイクロ波のようなワイヤレス技術は、媒体の定義に含まれる。ここに使用される、ディスク（disk）およびディスク（disc）は、コンパクトディスク（ＣＤ）、レーザーディスク（登録商標）、光ディスク、デジタル多用途ディスク（ＤＶＤ）、フロッピー（登録商標）ディスク、およびブルーレイ（登録商標）ディスクを含み、ディスク（disk）は通常、磁気的にデータを再生するが、ディスク（disc）は、レーザーを用いて光学的にデータを再生する。上記の組み合わせは、また、コンピュータ可読媒体の範囲内に含まれるべきである。
【０１０２】
[00120]  本開示の先の説明は、当業者が本開示を製造または使用することを可能にするために提供される。本開示に対する様々な修正は、当業者にとって容易に明らかであり、ここに定義された一般的な原理は、本開示の範囲から逸脱することなく、他の変形物に適用されうる。したがって、本開示は、ここに説明される例および設計に限定されるように意図されず、ここに開示された原理および新規の特徴と矛盾しない最大範囲であると認められるべきである。
以下に、本願の出願当初の特許請求の範囲に記載された発明を付記する。
［Ｃ１］
第１の帯域に関する第１の送信（ＴＸ）フィルタを備える第１のアンテナインターフェース回路と、ここで、前記第１のＴＸフィルタは、第１のアンテナを介した送信の前に第１の無線周波数（ＲＦ）信号をフィルタリングするように構成され、
第２の帯域に関する第２のＴＸフィルタを備える第２のアンテナインターフェース回路と、ここで、前記第２のＴＸフィルタは、第２のアンテナを介した送信の前に第２のＲＦ信号をフィルタリングするように構成され、前記第１および第２のＴＸフィルタは、前記第１および第２の帯域上でワイヤレスネットワークに同時に送信される前記第１および第２のＲＦ信号をフィルタリングするように構成される、
を備える、装置。
［Ｃ２］
前記第１および第２のＲＦ信号は、キャリアアグリゲーションのための第１および第２のキャリア上でそれぞれ同時に送信される、Ｃ１に記載の装置。
［Ｃ３］
前記第１のアンテナインターフェース回路は、前記第１の帯域に関する前記第１のＴＸフィルタと、前記第１の帯域に関する第１の受信（ＲＸ）フィルタと、前記第２の帯域に関する第２のＲＸフィルタとを含む第１のトリプレクサを備える、Ｃ１に記載の装置。
［Ｃ４］
前記第２のアンテナインターフェース回路は、前記第２の帯域に関する前記第２のＴＸフィルタと、前記第２の帯域に関する第３のＲＸフィルタと、前記第１の帯域に関する第４のＲＸフィルタとを含む第２のトリプレクサ備える、Ｃ３に記載の装置。
［Ｃ５］
前記第１のアンテナインターフェース回路は、前記第１の帯域に関する、前記第１のＴＸフィルタおよび受信（ＲＸ）フィルタを含むデュプレクサを備える、Ｃ１に記載の装置。
［Ｃ６］
前記第２のアンテナインターフェース回路は、前記第２の帯域に関する、前記第２のＴＸフィルタおよび受信（ＲＸ）フィルタを含むデュプレクサを備える、Ｃ１に記載の装置。
［Ｃ７］
前記第１のアンテナインターフェース回路は、前記第１の帯域に関する前記第１のＴＸフィルタと、前記第１の帯域に関する第１の受信（ＲＸ）フィルタと、第３の帯域に関する第３のＴＸフィルタと、前記第３の帯域に関する第２のＲＸフィルタとを含むクアドプレクサを備える、Ｃ１に記載の装置。
［Ｃ８］
前記第１のアンテナインターフェース回路は、前記第１のＴＸフィルタに結合され、前記第１のＲＦ信号をフィルタリングして前記第１のＲＦ信号の少なくとも１つの高調波を減衰させるように構成された、ローパスフィルタを備える、Ｃ１に記載の装置。
［Ｃ９］
前記第１のアンテナインターフェース回路は、第３の帯域に関する第３のＴＸフィルタと、前記第３の帯域に関する第３のＲＸフィルタとを含むデュプレクサをさらに備える、Ｃ３に記載の装置。
［Ｃ１０］
前記第１のアンテナインターフェース回路は、
前記第１の帯域に関する前記第１のＴＸフィルタと、前記第１の帯域に関する第１の受信（ＲＸ）フィルタと、前記第２の帯域に関する第２のＲＸフィルタとを含む第１のトリプレクサと、
第３の帯域に関する第３のＴＸフィルタと、前記第３の帯域に関する第３のＲＸフィルタと、第４の帯域に関する第４のＲＸフィルタとを含む第２のトリプレクサと
を備える、Ｃ１に記載の装置。
［Ｃ１１］
前記第２のアンテナインターフェース回路は、
前記第２の帯域に関する前記第２のＴＸフィルタと、前記第２の帯域に関する第５のＲＸフィルタと、前記第１の帯域に関する第６のＲＸフィルタとを含む第３のトリプレクサと、
前記第４の帯域に関する第４のＴＸフィルタと、前記第４の帯域に関する第７のＲＸフィルタと、前記第３の帯域に関する第８のＲＸフィルタとを含む第４のトリプレクサと
を備える、Ｃ１０に記載の装置。
［Ｃ１２］
前記第１のアンテナインターフェース回路は、前記第１および第２のトリプレクサと前記第１のアンテナとの間に結合されたダイプレクサをさらに備える、Ｃ１０に記載の装置。
［Ｃ１３］
前記第１のアンテナインターフェース回路は、前記ダイプレクサと前記第１のアンテナとの間に結合された少なくとも１つのスイッチをさらに備える、Ｃ１２に記載の装置。
［Ｃ１４］
前記第１のＴＸフィルタと前記第１のアンテナとの間に結合された少なくとも１つのスイッチと、ここで、前記第１のＴＸフィルタは第１の無線技術のために使用され、
前記少なくとも１つのスイッチに結合された第２の無線技術のための少なくとも１つのフィルタと
をさらに備える、Ｃ１に記載の装置。
［Ｃ１５］
前記第１のアンテナインターフェース回路は、
前記第１の帯域に関する、前記第１のＴＸフィルタおよび第１の受信（ＲＸ）フィルタを含む第１のマルチプレクサと、
第３の帯域に関する、第３のＴＸフィルタおよび第２のＲＸフィルタを含む第２のマルチプレクサと、
第４の帯域に関する、第４のＴＸフィルタおよび第３のＲＸフィルタを含む第３のマルチプレクサと
を備える、Ｃ１に記載の装置。
［Ｃ１６］
前記第１のアンテナインターフェース回路は、
前記第１および第２のマルチプレクサに結合された少なくとも１つのスイッチと、
前記少なくとも１つのスイッチと、前記第３のマルチプレクサと、前記第１のアンテナとに結合されたダイプレクサと
をさらに備える、Ｃ１５に記載の装置。
［Ｃ１７］
第１のアンテナに動作可能に結合され、第１の帯域に関する第１の送信（ＴＸ）フィルタと、前記第１の帯域に関する第１の受信（ＲＸ）フィルタと、第２の帯域に関する第２のＲＸフィルタとを備えるトリプレクサと、
第２のアンテナに動作可能に結合され、前記第２の帯域に関する第２のＴＸフィルタと、前記第１の帯域に関する第３のＲＸフィルタとを備えるマルチプレクサと
を備える、装置。
［Ｃ１８］
前記マルチプレクサは第２のトリプレクサを備え、前記第２の帯域に関する前記第２のＴＸフィルタと、前記第１の帯域に関する前記第３のＲＸフィルタと、前記第２の帯域に関する第４のＲＸフィルタとを含む、Ｃ１７に記載の装置。
［Ｃ１９］
前記トリプレクサおよび前記マルチプレクサは、キャリアアグリゲーションのための前記第１および第２の帯域上で同時に送信されたダウンリンクデータ伝送を受信するように構成される、Ｃ１７に記載の装置。
［Ｃ２０］
前記トリプレクサおよび前記マルチプレクサは、キャリアアグリゲーションのための、前記第１のアンテナを介した前記第１の帯域上の第１のアップリンクデータ伝送と、前記第２のアンテナを介した前記第２の帯域上の第２のアップリンクデータ伝送とを同時に送信するように構成される、Ｃ１７に記載の装置。
［Ｃ２１］
前記トリプレクサは、キャリアアグリゲーションを用いずに、前記第１のアンテナを介して前記第１の帯域上でアップリンクデータ伝送を送信するように構成される、Ｃ１７に記載の装置。
［Ｃ２２］
第１のアンテナを介した送信の前に、第１の帯域に関する第１の送信（ＴＸ）フィルタを用いて第１の無線周波数（ＲＦ）信号をフィルタリングすることと、
第２のアンテナを介した送信の前に、第２の帯域に関する第２のＴＸフィルタを用いて第２のＲＦ信号をフィルタリングすることと、ここで、前記第１および第２のＲＦ信号は、キャリアアグリゲーションのための前記第１および第２の帯域上で同時に送信される、
を備える、方法。
［Ｃ２３］
前記第１のアンテナを介して受信された第３のＲＦ信号を、前記第１の帯域に関する第１の受信（ＲＸ）フィルタを用いてフィルタリングすることと、
前記第２のアンテナを介して受信された第４のＲＦ信号を、前記第２の帯域に関する第２のＲＸフィルタを用いてフィルタリングすることと
をさらに備える、Ｃ２２に記載の方法。
［Ｃ２４］
前記第１のアンテナを介して受信された第５のＲＦ信号を、前記第２の帯域に関する第３のＲＸフィルタを用いてフィルタリングすることと、
前記第２のアンテナを介して受信された第６のＲＦ信号を、前記第１の帯域に関する第４のＲＸフィルタを用いてフィルタリングすることと
をさらに備える、Ｃ２３に記載の方法。
［Ｃ２５］
第１のアンテナを介した送信の前に、第１の帯域に関する第１の無線周波数（ＲＦ）信号をフィルタリングするための手段と、
第２のアンテナを介した送信の前に、第２の帯域に関する第２のＲＦ信号をフィルタリングするための手段と、ここで、前記第１および第２のＲＦ信号は、キャリアアグリゲーションのための前記第１および第２の帯域上で同時に送信される、
を備える、装置。
［Ｃ２６］
前記第１のアンテナを介して受信された、前記第１の帯域に関する第３のＲＦ信号をフィルタリングするための手段と、
前記第２のアンテナを介して受信された、前記第２の帯域に関する第４のＲＦ信号をフィルタリングするための手段と
をさらに備える、Ｃ２５に記載の装置。
［Ｃ２７］
前記第１のアンテナを介して受信された、前記第２の帯域に関する第５のＲＦ信号をフィルタリングするための手段と、
前記第２のアンテナを介して受信された、前記第１の帯域に関する第６のＲＦ信号をフィルタリングするための手段と
をさらに備える、Ｃ２６に記載の装置。
【図１】
0006333813.tif 000003
【図２Ａ】
0006333813.tif 000004
【図２Ｂ】
0006333813.tif 000005
【図２Ｃ】
0006333813.tif 000006
【図２Ｄ】
0006333813.tif 000007
【図３】
0006333813.tif 000008
【図４Ａ】
0006333813.tif 000009
【図４Ｂ】
0006333813.tif 000010
【図５Ａ】
0006333813.tif 000011
【図５Ｂ】
0006333813.tif 000012
【図５Ｃ】
0006333813.tif 000013
【図５Ｄ】
0006333813.tif 000014
【図５Ｅ】
0006333813.tif 000015
【図５Ｆ】
0006333813.tif 000016
【図６】
0006333813.tif 000017
【図７Ａ】
0006333813.tif 000018
【図７Ｂ】
0006333813.tif 000019
【図８Ａ】
0006333813.tif 000020
【図８Ｂ】
0006333813.tif 000021
【図９Ａ】
0006333813.tif 000022
【図９Ｂ】
0006333813.tif 000023
【図１０】
0006333813.tif 000024
【図１１】
0006333813.tif 000025